(57)【特許請求の範囲】
【請求項１】
画像形成装置の操作画面を表示し、その操作画面に対するタッチ操作で前記画像形成装置の動作モードの設定が可能な表示手段と、
ユーザが該表示手段の縁部を把持した持ち手が表示画面のタッチ操作検出領域に被さったか否かを検知する検知手段と、
前記検知手段によりユーザの持ち手がタッチ操作検出領域に被さるのが検知された際に、タッチ操作検出領域および画面表示領域を該持ち手から回避させる大きさに縮小する補正手段と、
前記表示手段に表示されている操作画面中の操作キーの優先順位を決定する操作キー優先順位決定手段と、
前記補正手段により縮小された画面表示領域における、操作キーを表示可能なキー表示可能領域を判断するキー表示領域判断手段と、
前記操作キー優先順位決定手段により決定された操作キーの優先順位に基づいて、前記キー表示領域判断手段により判断されたキー表示可能領域内での操作キーのサイズ及び／またはレイアウトを含む表示形式を決定する表示形式決定手段と、
前記決定された表示形式で表示された操作キーを含む操作画面を、前記縮小された画面表示領域に表示させる制御手段と、
を備え、
前記表示手段に表示されている操作画面が、印字条件を設定してデータを印字するための印字出力モード設定画面であり、
前記操作キー優先順位決定手段は、前記印字出力モード設定画面中の操作キーの優先順位を決定するとともに、前記操作キーが、相互に独立した１個または複数個のモード設定キーである場合は、これらのモード設定キーを第１優先とし、
前記表示形式決定手段は、前記キー表示可能領域内において、前記モード設定キーのレイアウトを維持したままでサイズを維持することができない場合は、レイアウトよりもサイズを優先し該レイアウトを変更することを特徴とする画像形成装置用の操作入力装置。
【請求項２】
画像形成装置の操作画面を表示し、その操作画面に対するタッチ操作で前記画像形成装置の動作モードの設定が可能な表示手段と、
ユーザが該表示手段の縁部を把持した持ち手が表示画面のタッチ操作検出領域に被さったか否かを検知する検知手段と、
前記検知手段によりユーザの持ち手がタッチ操作検出領域に被さるのが検知された際に、タッチ操作検出領域および画面表示領域を該持ち手から回避させる大きさに縮小する補正手段と、
前記表示手段に表示されている操作画面中の操作キーの優先順位を決定する操作キー優先順位決定手段と、
前記補正手段により縮小された画面表示領域における、操作キーを表示可能なキー表示可能領域を判断するキー表示領域判断手段と、
前記操作キー優先順位決定手段により決定された操作キーの優先順位に基づいて、前記キー表示領域判断手段により判断されたキー表示可能領域内での操作キーのサイズ及び／またはレイアウトを含む表示形式を決定する表示形式決定手段と、
前記決定された表示形式で表示された操作キーを含む操作画面を、前記縮小された画面表示領域に表示させる制御手段と、
を備え、
前記表示手段に表示されている操作画面が、印字条件を設定してデータを印字するための印字出力モード設定画面であり、
前記操作キー優先順位決定手段は、前記印字出力モード設定画面中の操作キーの優先順位を決定するとともに、前記操作キーが、レベル設定に関して昇順あるいは降順に配置された複数個のレベル出力選択キーである場合は、これらのレベル出力選択キーを第１優先とし、
前記表示形式決定手段は、前記キー表示可能領域内において、前記レベル出力選択キーのサイズを維持したままでレイアウトを維持することができない場合は、サイズよりもレイアウトを優先し該サイズを縮小することを特徴とする画像形成装置用の操作入力装置。
【請求項３】
画像形成装置の操作画面を表示し、その操作画面に対するタッチ操作で前記画像形成装置の動作モードの設定が可能な表示手段と、
ユーザが該表示手段の縁部を把持した持ち手が表示画面のタッチ操作検出領域に被さったか否かを検知する検知手段と、
前記検知手段によりユーザの持ち手がタッチ操作検出領域に被さるのが検知された際に、タッチ操作検出領域および画面表示領域を該持ち手から回避させる大きさに縮小する補正手段と、
前記表示手段に表示されている操作画面中の操作キーの優先順位を決定する操作キー優先順位決定手段と、
前記補正手段により縮小された画面表示領域における、操作キーを表示可能なキー表示可能領域を判断するキー表示領域判断手段と、
前記操作キー優先順位決定手段により決定された操作キーの優先順位に基づいて、前記キー表示領域判断手段により判断されたキー表示可能領域内での操作キーのサイズ及び／またはレイアウトを含む表示形式を決定する表示形式決定手段と、
前記決定された表示形式で表示された操作キーを含む操作画面を、前記縮小された画面表示領域に表示させる制御手段と、
を備え、
前記表示手段に表示されている操作画面が、データの送信宛先を選択するとともにデータの送信モードを設定するためのデータ送信出力設定画面であり、
前記操作キー優先順位決定手段は、前記データ送信出力設定画面中の操作キーの優先順位を決定するとともに、送信宛先が選択されていない場合は、前記データ送信出力設定画面に表示されている複数の宛先選択キーを第１優先とし、
前記表示形式決定手段は、前記キー表示可能領域内において、前記宛先選択キーのレイアウトを維持したままでサイズを維持することができない場合は、レイアウトよりもサイズを優先し該レイアウトを変更することを特徴とする画像形成装置用の操作入力装置。
【請求項４】
画像形成装置の操作画面を表示し、その操作画面に対するタッチ操作で前記画像形成装置の動作モードの設定が可能な表示手段と、
ユーザが該表示手段の縁部を把持した持ち手が表示画面のタッチ操作検出領域に被さったか否かを検知する検知手段と、
前記検知手段によりユーザの持ち手がタッチ操作検出領域に被さるのが検知された際に、タッチ操作検出領域および画面表示領域を該持ち手から回避させる大きさに縮小する補正手段と、
前記表示手段に表示されている操作画面中の操作キーの優先順位を決定する操作キー優先順位決定手段と、
前記補正手段により縮小された画面表示領域における、操作キーを表示可能なキー表示可能領域を判断するキー表示領域判断手段と、
前記操作キー優先順位決定手段により決定された操作キーの優先順位に基づいて、前記キー表示領域判断手段により判断されたキー表示可能領域内での操作キーのサイズ及び／またはレイアウトを含む表示形式を決定する表示形式決定手段と、
前記決定された表示形式で表示された操作キーを含む操作画面を、前記縮小された画面表示領域に表示させる制御手段と、
を備え、
前記表示手段に表示されている操作画面が、データの送信宛先を選択するとともにデータの送信モードを設定するためのデータ送信出力設定画面であり、
前記操作キー優先順位決定手段は、前記データ送信出力設定画面中の操作キーの優先順位を決定するとともに、送信宛先が選択されている場合は、前記データ送信出力設定画面に表示されている複数のデータ送信モード設定キーを第１優先順位とし、
前記表示形式決定手段は、前記キー表示可能領域内において、前記データ送信モード設定キーのレイアウトを維持したままでサイズを維持することができない場合は、レイアウトよりもサイズを優先し該レイアウトを変更することを特徴とする画像形成装置用の操作入力装置。
【請求項５】
画像形成装置の操作画面を表示し、その操作画面に対するタッチ操作で前記画像形成装置の動作モードの設定が可能な表示手段と、
ユーザが該表示手段の縁部を把持した持ち手が表示画面のタッチ操作検出領域に被さったか否かを検知する検知手段と、
前記検知手段によりユーザの持ち手がタッチ操作検出領域に被さるのが検知された際に、タッチ操作検出領域および画面表示領域を該持ち手から回避させる大きさに縮小する補正手段と、
前記表示手段に表示されている操作画面中の操作キーの優先順位を決定する操作キー優先順位決定手段と、
前記補正手段により縮小された画面表示領域における、操作キーを表示可能なキー表示可能領域を判断するキー表示領域判断手段と、
前記操作キー優先順位決定手段により決定された操作キーの優先順位に基づいて、前記キー表示領域判断手段により判断されたキー表示可能領域内での操作キーのサイズ及び／またはレイアウトを含む表示形式を決定する表示形式決定手段と、
前記決定された表示形式で表示された操作キーを含む操作画面を、前記縮小された画面表示領域に表示させる制御手段と、
を備え、
前記表示手段に表示されている操作画面が、記憶領域であるボックス内の文書を選択して出力するためのボックス内文書出力設定画面であり、
前記操作キー優先順位決定手段は、前記ボックス内文書出力設定画面中の操作キーの優先順位を決定することを特徴とする画像形成装置用の操作入力装置。
【請求項６】
前記操作キー優先順位決定手段は、ボックス内文書が選択されていない場合は、前記ボックス内文書出力設定画面に表示されている複数のボックス内文書選択キーを第１優先とし、
前記表示形式決定手段は、前記キー表示可能領域内において、前記ボックス内文書選択キーのレイアウトを維持したままでサイズを維持することができない場合は、レイアウトよりもサイズを優先し該レイアウトを変更する請求項５に記載の画像形成装置用の操作入力装置。
【請求項７】
画像形成装置の操作画面を表示し、その操作画面に対するタッチ操作で前記画像形成装置の動作モードの設定が可能な表示手段と、
ユーザが該表示手段の縁部を把持した持ち手が表示画面のタッチ操作検出領域に被さったか否かを検知する検知手段と、
前記検知手段によりユーザの持ち手がタッチ操作検出領域に被さるのが検知された際に、タッチ操作検出領域および画面表示領域を該持ち手から回避させる大きさに縮小する補正手段と、
前記表示手段に表示されている操作画面中の操作キーの優先順位を決定する操作キー優先順位決定手段と、
前記補正手段により縮小された画面表示領域における、操作キーを表示可能なキー表示可能領域を判断するキー表示領域判断手段と、
前記操作キー優先順位決定手段により決定された操作キーの優先順位に基づいて、前記キー表示領域判断手段により判断されたキー表示可能領域内での操作キーのサイズ及び／またはレイアウトを含む表示形式を決定する表示形式決定手段と、
前記決定された表示形式で表示された操作キーを含む操作画面を、前記縮小された画面表示領域に表示させる制御手段と、
を備え、
前記表示手段に表示されている操作画面が、データの送信宛先を選択するとともにデータの送信モードを設定するためのデータ送信出力設定画面であり、
前記操作キー優先順位決定手段は、前記データ送信出力設定画面中の操作キーの優先順位を決定するとともに、ボックス内文書が選択されている場合は、前記データ送信出力設定画面に表示されている複数の文書出力モード設定キーを第１優先とし、
前記表示形式決定手段は、前記キー表示可能領域内において、前記文書出力モード設定キーのレイアウトを維持したままでサイズを維持することができない場合は、レイアウトよりもサイズを優先し該レイアウトを変更することを特徴とする画像形成装置用の操作入力装置。
【請求項８】
前記表示形式決定手段により、優先順位が上位の操作キーの表示形式が決定された後、キー表示可能領域内の空き領域に優先順位が下位の操作キーを表示できない場合には、前記制御手段は、新規に画面遷移キーを設け、前記画面遷移キーからの遷移先画面で前記下位の操作キーを表示する請求項１〜７のいずれかに記載の画像形成装置用の操作入力装置。
【請求項９】
前記画像形成装置によりユーザ情報に基づく認証管理が可能であるとともに、ユーザ毎に前記ユーザ情報として優先順位が上位の操作キーを設定可能に構成されており、
ユーザ認証時において、ユーザ情報として優先順位が上位の操作キーが設定されている場合には、前記操作キー優先順位決定手段は、前記画像形成装置から取得した情報に基づいて、前記ユーザ情報として設定されている操作キーを第１優先とする請求項１〜８のいずれかに記載の画像形成装置用の操作入力装置。
【請求項１０】
画像形成装置の操作画面を表示し、その操作画面に対するタッチ操作で前記画像形成装置の動作モードの設定が可能な表示手段の縁部をユーザが把持した持ち手が、表示画面のタッチ操作検出領域に被さったか否かを検知する検知ステップと、
前記検知ステップによりユーザの持ち手がタッチ操作検出領域に被さるのが検知された際に、タッチ操作検出領域および画面表示領域を該持ち手から回避させる大きさに縮小する補正ステップと、
前記表示手段に表示されている操作画面中の操作キーの優先順位を決定する操作キー優先順位決定ステップと、
前記補正ステップにより縮小された画面表示領域における、操作キーを表示可能なキー表示可能領域を判断するキー表示領域判断ステップと、
前記操作キー優先順位決定ステップにより決定された操作キーの優先順位に基づいて、前記キー表示領域判断ステップにより判断されたキー表示可能領域内での操作キーのサイズ及び／またはレイアウトを含む表示形式を決定する表示形式決定ステップと、
前記決定された表示形式で表示された操作キーを含む操作画面を、前記縮小された画面表示領域に表示させる制御ステップと、
を備え、
前記表示手段に表示されている操作画面が、印字条件を設定してデータを印字するための印字出力モード設定画面であり、
前記操作キー優先順位決定ステップでは、前記印字出力モード設定画面中の操作キーの優先順位を決定するとともに、前記操作キーが、相互に独立した１個または複数個のモード設定キーである場合は、これらのモード設定キーを第１優先とし、
前記表示形式決定ステップでは、前記キー表示可能領域内において、前記モード設定キーのレイアウトを維持したままでサイズを維持することができない場合は、レイアウトよりもサイズを優先し該レイアウトを変更することを特徴とする画像形成装置用の操作入力装置で実行される操作画面の表示制御方法。
【請求項１１】
画像形成装置の操作画面を表示し、その操作画面に対するタッチ操作で前記画像形成装置の動作モードの設定が可能な表示手段の縁部をユーザが把持した持ち手が、表示画面のタッチ操作検出領域に被さったか否かを検知する検知ステップと、
前記検知ステップによりユーザの持ち手がタッチ操作検出領域に被さるのが検知された際に、タッチ操作検出領域および画面表示領域を該持ち手から回避させる大きさに縮小する補正ステップと、
前記表示手段に表示されている操作画面中の操作キーの優先順位を決定する操作キー優先順位決定ステップと、
前記補正ステップにより縮小された画面表示領域における、操作キーを表示可能なキー表示可能領域を判断するキー表示領域判断ステップと、
前記操作キー優先順位決定ステップにより決定された操作キーの優先順位に基づいて、前記キー表示領域判断ステップにより判断されたキー表示可能領域内での操作キーのサイズ及び／またはレイアウトを含む表示形式を決定する表示形式決定ステップと、
前記決定された表示形式で表示された操作キーを含む操作画面を、前記縮小された画面表示領域に表示させる制御ステップと、
を備え、
前記表示手段に表示されている操作画面が、印字条件を設定してデータを印字するための印字出力モード設定画面であり、
前記操作キー優先順位決定ステップでは、前記印字出力モード設定画面中の操作キーの優先順位を決定するとともに、前記操作キーが、レベル設定に関して昇順あるいは降順に配置された複数個のレベル出力選択キーである場合は、これらのレベル出力選択キーを第１優先とし、
前記表示形式決定ステップでは、前記キー表示可能領域内において、前記レベル出力選択キーのサイズを維持したままでレイアウトを維持することができない場合は、サイズよりもレイアウトを優先し該サイズを縮小することを特徴とする画像形成装置用の操作入力装置で実行される操作画面の表示制御方法。
【請求項１２】
画像形成装置の操作画面を表示し、その操作画面に対するタッチ操作で前記画像形成装置の動作モードの設定が可能な表示手段の縁部をユーザが把持した持ち手が、表示画面のタッチ操作検出領域に被さったか否かを検知する検知ステップと、
前記検知ステップによりユーザの持ち手がタッチ操作検出領域に被さるのが検知された際に、タッチ操作検出領域および画面表示領域を該持ち手から回避させる大きさに縮小する補正ステップと、
前記表示手段に表示されている操作画面中の操作キーの優先順位を決定する操作キー優先順位決定ステップと、
前記補正ステップにより縮小された画面表示領域における、操作キーを表示可能なキー表示可能領域を判断するキー表示領域判断ステップと、
前記操作キー優先順位決定ステップにより決定された操作キーの優先順位に基づいて、前記キー表示領域判断ステップにより判断されたキー表示可能領域内での操作キーのサイズ及び／またはレイアウトを含む表示形式を決定する表示形式決定ステップと、
前記決定された表示形式で表示された操作キーを含む操作画面を、前記縮小された画面表示領域に表示させる制御ステップと、
を備え、
前記表示手段に表示されている操作画面が、データの送信宛先を選択するとともにデータの送信モードを設定するためのデータ送信出力設定画面であり、
前記操作キー優先順位決定ステップでは、前記データ送信出力設定画面中の操作キーの優先順位を決定するとともに、送信宛先が選択されていない場合は、前記データ送信出力設定画面に表示されている複数の宛先選択キーを第１優先とし、
前記表示形式決定ステップでは、前記キー表示可能領域内において、前記宛先選択キーのレイアウトを維持したままでサイズを維持することができない場合は、レイアウトよりもサイズを優先し該レイアウトを変更することを特徴とする画像形成装置用の操作入力装置で実行される操作画面の表示制御方法。
【請求項１３】
画像形成装置の操作画面を表示し、その操作画面に対するタッチ操作で前記画像形成装置の動作モードの設定が可能な表示手段の縁部をユーザが把持した持ち手が、表示画面のタッチ操作検出領域に被さったか否かを検知する検知ステップと、
前記検知ステップによりユーザの持ち手がタッチ操作検出領域に被さるのが検知された際に、タッチ操作検出領域および画面表示領域を該持ち手から回避させる大きさに縮小する補正ステップと、
前記表示手段に表示されている操作画面中の操作キーの優先順位を決定する操作キー優先順位決定ステップと、
前記補正ステップにより縮小された画面表示領域における、操作キーを表示可能なキー表示可能領域を判断するキー表示領域判断ステップと、
前記操作キー優先順位決定ステップにより決定された操作キーの優先順位に基づいて、前記キー表示領域判断ステップにより判断されたキー表示可能領域内での操作キーのサイズ及び／またはレイアウトを含む表示形式を決定する表示形式決定ステップと、
前記決定された表示形式で表示された操作キーを含む操作画面を、前記縮小された画面表示領域に表示させる制御ステップと、
を備え、
前記表示手段に表示されている操作画面が、データの送信宛先を選択するとともにデータの送信モードを設定するためのデータ送信出力設定画面であり、
前記操作キー優先順位決定ステップでは、前記データ送信出力設定画面中の操作キーの優先順位を決定するとともに、送信宛先が選択されている場合は、前記データ送信出力設定画面に表示されている複数のデータ送信モード設定キーを第１優先順位とし、
前記表示形式決定ステップでは、前記キー表示可能領域内において、前記データ送信モード設定キーのレイアウトを維持したままでサイズを維持することができない場合は、レイアウトよりもサイズを優先し該レイアウトを変更することを特徴とする画像形成装置用の操作入力装置で実行される操作画面の表示制御方法。
【請求項１４】
画像形成装置の操作画面を表示し、その操作画面に対するタッチ操作で前記画像形成装置の動作モードの設定が可能な表示手段の縁部をユーザが把持した持ち手が、表示画面のタッチ操作検出領域に被さったか否かを検知する検知ステップと、
前記検知ステップによりユーザの持ち手がタッチ操作検出領域に被さるのが検知された際に、タッチ操作検出領域および画面表示領域を該持ち手から回避させる大きさに縮小する補正ステップと、
前記表示手段に表示されている操作画面中の操作キーの優先順位を決定する操作キー優先順位決定ステップと、
前記補正ステップにより縮小された画面表示領域における、操作キーを表示可能なキー表示可能領域を判断するキー表示領域判断ステップと、
前記操作キー優先順位決定ステップにより決定された操作キーの優先順位に基づいて、前記キー表示領域判断ステップにより判断されたキー表示可能領域内での操作キーのサイズ及び／またはレイアウトを含む表示形式を決定する表示形式決定ステップと、
前記決定された表示形式で表示された操作キーを含む操作画面を、前記縮小された画面表示領域に表示させる制御ステップと、
を備え、
前記表示手段に表示されている操作画面が、記憶領域であるボックス内の文書を選択して出力するためのボックス内文書出力設定画面であり、
前記操作キー優先順位決定ステップでは、前記ボックス内文書出力設定画面中の操作キーの優先順位を決定することを特徴とする画像形成装置用の操作入力装置で実行される操作画面の表示制御方法。
【請求項１５】
画像形成装置の操作画面を表示し、その操作画面に対するタッチ操作で前記画像形成装置の動作モードの設定が可能な表示手段の縁部をユーザが把持した持ち手が、表示画面のタッチ操作検出領域に被さったか否かを検知する検知ステップと、
前記検知ステップによりユーザの持ち手がタッチ操作検出領域に被さるのが検知された際に、タッチ操作検出領域および画面表示領域を該持ち手から回避させる大きさに縮小する補正ステップと、
前記表示手段に表示されている操作画面中の操作キーの優先順位を決定する操作キー優先順位決定ステップと、
前記補正ステップにより縮小された画面表示領域における、操作キーを表示可能なキー表示可能領域を判断するキー表示領域判断ステップと、
前記操作キー優先順位決定ステップにより決定された操作キーの優先順位に基づいて、前記キー表示領域判断ステップにより判断されたキー表示可能領域内での操作キーのサイズ及び／またはレイアウトを含む表示形式を決定する表示形式決定ステップと、
前記決定された表示形式で表示された操作キーを含む操作画面を、前記縮小された画面表示領域に表示させる制御ステップと、
を備え、
前記表示手段に表示されている操作画面が、データの送信宛先を選択するとともにデータの送信モードを設定するためのデータ送信出力設定画面であり、
前記操作キー優先順位決定ステップでは、前記データ送信出力設定画面中の操作キーの優先順位を決定するとともに、ボックス内文書が選択されている場合は、前記データ送信出力設定画面に表示されている複数の文書出力モード設定キーを第１優先とし、
前記表示形式決定ステップでは、前記キー表示可能領域内において、前記文書出力モード設定キーのレイアウトを維持したままでサイズを維持することができない場合は、レイアウトよりもサイズを優先し該レイアウトを変更することを特徴とする画像形成装置用の操作入力装置で実行される操作画面の表示制御方法。
【請求項１６】
画像形成装置の操作画面を表示し、その操作画面に対するタッチ操作で前記画像形成装置の動作モードの設定が可能な表示手段の縁部をユーザが把持した持ち手が、表示画面のタッチ操作検出領域に被さったか否かを検知する検知ステップと、
前記検知ステップによりユーザの持ち手がタッチ操作検出領域に被さるのが検知された際に、タッチ操作検出領域および画面表示領域を該持ち手から回避させる大きさに縮小する補正ステップと、
前記表示手段に表示されている操作画面中の操作キーの優先順位を決定する操作キー優先順位決定ステップと、
前記補正ステップにより縮小された画面表示領域における、操作キーを表示可能なキー表示可能領域を判断するキー表示領域判断ステップと、
前記操作キー優先順位決定ステップにより決定された操作キーの優先順位に基づいて、前記キー表示領域判断ステップにより判断されたキー表示可能領域内での操作キーのサイズ及び／またはレイアウトを含む表示形式を決定する表示形式決定ステップと、
前記決定された表示形式で表示された操作キーを含む操作画面を、前記縮小された画面表示領域に表示させる制御ステップと、
を画像形成装置用の操作入力装置のコンピュータに実行させ、
前記表示手段に表示されている操作画面が、印字条件を設定してデータを印字するための印字出力モード設定画面であり、
前記操作キー優先順位決定ステップでは、前記印字出力モード設定画面中の操作キーの優先順位を決定するとともに、前記操作キーが、相互に独立した１個または複数個のモード設定キーである場合は、これらのモード設定キーを第１優先とし、
前記表示形式決定ステップでは、前記キー表示可能領域内において、前記モード設定キーのレイアウトを維持したままでサイズを維持することができない場合は、レイアウトよりもサイズを優先し該レイアウトを変更する処理を前記コンピュータに実行させるためのプログラム。
【請求項１７】
画像形成装置の操作画面を表示し、その操作画面に対するタッチ操作で前記画像形成装置の動作モードの設定が可能な表示手段の縁部をユーザが把持した持ち手が、表示画面のタッチ操作検出領域に被さったか否かを検知する検知ステップと、
前記検知ステップによりユーザの持ち手がタッチ操作検出領域に被さるのが検知された際に、タッチ操作検出領域および画面表示領域を該持ち手から回避させる大きさに縮小する補正ステップと、
前記表示手段に表示されている操作画面中の操作キーの優先順位を決定する操作キー優先順位決定ステップと、
前記補正ステップにより縮小された画面表示領域における、操作キーを表示可能なキー表示可能領域を判断するキー表示領域判断ステップと、
前記操作キー優先順位決定ステップにより決定された操作キーの優先順位に基づいて、前記キー表示領域判断ステップにより判断されたキー表示可能領域内での操作キーのサイズ及び／またはレイアウトを含む表示形式を決定する表示形式決定ステップと、
前記決定された表示形式で表示された操作キーを含む操作画面を、前記縮小された画面表示領域に表示させる制御ステップと、
を画像形成装置用の操作入力装置のコンピュータに実行させ、
前記表示手段に表示されている操作画面が、印字条件を設定してデータを印字するための印字出力モード設定画面であり、
前記操作キー優先順位決定ステップでは、前記印字出力モード設定画面中の操作キーの優先順位を決定するとともに、前記操作キーが、レベル設定に関して昇順あるいは降順に配置された複数個のレベル出力選択キーである場合は、これらのレベル出力選択キーを第１優先とし、
前記表示形式決定ステップでは、前記キー表示可能領域内において、前記レベル出力選択キーのサイズを維持したままでレイアウトを維持することができない場合は、サイズよりもレイアウトを優先し該サイズを縮小する処理を前記コンピュータに実行させるためのプログラム。
【請求項１８】
画像形成装置の操作画面を表示し、その操作画面に対するタッチ操作で前記画像形成装置の動作モードの設定が可能な表示手段の縁部をユーザが把持した持ち手が、表示画面のタッチ操作検出領域に被さったか否かを検知する検知ステップと、
前記検知ステップによりユーザの持ち手がタッチ操作検出領域に被さるのが検知された際に、タッチ操作検出領域および画面表示領域を該持ち手から回避させる大きさに縮小する補正ステップと、
前記表示手段に表示されている操作画面中の操作キーの優先順位を決定する操作キー優先順位決定ステップと、
前記補正ステップにより縮小された画面表示領域における、操作キーを表示可能なキー表示可能領域を判断するキー表示領域判断ステップと、
前記操作キー優先順位決定ステップにより決定された操作キーの優先順位に基づいて、前記キー表示領域判断ステップにより判断されたキー表示可能領域内での操作キーのサイズ及び／またはレイアウトを含む表示形式を決定する表示形式決定ステップと、
前記決定された表示形式で表示された操作キーを含む操作画面を、前記縮小された画面表示領域に表示させる制御ステップと、
を画像形成装置用の操作入力装置のコンピュータに実行させ、
前記表示手段に表示されている操作画面が、データの送信宛先を選択するとともにデータの送信モードを設定するためのデータ送信出力設定画面であり、
前記操作キー優先順位決定ステップでは、前記データ送信出力設定画面中の操作キーの優先順位を決定するとともに、送信宛先が選択されていない場合は、前記データ送信出力設定画面に表示されている複数の宛先選択キーを第１優先とし、
前記表示形式決定ステップでは、前記キー表示可能領域内において、前記宛先選択キーのレイアウトを維持したままでサイズを維持することができない場合は、レイアウトよりもサイズを優先し該レイアウトを変更する処理を前記コンピュータに実行させるためのプログラム。
【請求項１９】
画像形成装置の操作画面を表示し、その操作画面に対するタッチ操作で前記画像形成装置の動作モードの設定が可能な表示手段の縁部をユーザが把持した持ち手が、表示画面のタッチ操作検出領域に被さったか否かを検知する検知ステップと、
前記検知ステップによりユーザの持ち手がタッチ操作検出領域に被さるのが検知された際に、タッチ操作検出領域および画面表示領域を該持ち手から回避させる大きさに縮小する補正ステップと、
前記表示手段に表示されている操作画面中の操作キーの優先順位を決定する操作キー優先順位決定ステップと、
前記補正ステップにより縮小された画面表示領域における、操作キーを表示可能なキー表示可能領域を判断するキー表示領域判断ステップと、
前記操作キー優先順位決定ステップにより決定された操作キーの優先順位に基づいて、前記キー表示領域判断ステップにより判断されたキー表示可能領域内での操作キーのサイズ及び／またはレイアウトを含む表示形式を決定する表示形式決定ステップと、
前記決定された表示形式で表示された操作キーを含む操作画面を、前記縮小された画面表示領域に表示させる制御ステップと、
を画像形成装置用の操作入力装置のコンピュータに実行させ、
前記表示手段に表示されている操作画面が、データの送信宛先を選択するとともにデータの送信モードを設定するためのデータ送信出力設定画面であり、
前記操作キー優先順位決定ステップでは、前記データ送信出力設定画面中の操作キーの優先順位を決定するとともに、送信宛先が選択されている場合は、前記データ送信出力設定画面に表示されている複数のデータ送信モード設定キーを第１優先順位とし、
前記表示形式決定ステップでは、前記キー表示可能領域内において、前記データ送信モード設定キーのレイアウトを維持したままでサイズを維持することができない場合は、レイアウトよりもサイズを優先し該レイアウトを変更する処理を前記コンピュータに実行させるためのプログラム。
【請求項２０】
画像形成装置の操作画面を表示し、その操作画面に対するタッチ操作で前記画像形成装置の動作モードの設定が可能な表示手段の縁部をユーザが把持した持ち手が、表示画面のタッチ操作検出領域に被さったか否かを検知する検知ステップと、
前記検知ステップによりユーザの持ち手がタッチ操作検出領域に被さるのが検知された際に、タッチ操作検出領域および画面表示領域を該持ち手から回避させる大きさに縮小する補正ステップと、
前記表示手段に表示されている操作画面中の操作キーの優先順位を決定する操作キー優先順位決定ステップと、
前記補正ステップにより縮小された画面表示領域における、操作キーを表示可能なキー表示可能領域を判断するキー表示領域判断ステップと、
前記操作キー優先順位決定ステップにより決定された操作キーの優先順位に基づいて、前記キー表示領域判断ステップにより判断されたキー表示可能領域内での操作キーのサイズ及び／またはレイアウトを含む表示形式を決定する表示形式決定ステップと、
前記決定された表示形式で表示された操作キーを含む操作画面を、前記縮小された画面表示領域に表示させる制御ステップと、
を画像形成装置用の操作入力装置のコンピュータに実行させ、
前記表示手段に表示されている操作画面が、記憶領域であるボックス内の文書を選択して出力するためのボックス内文書出力設定画面であり、
前記操作キー優先順位決定ステップでは、前記ボックス内文書出力設定画面中の操作キーの優先順位を決定する処理を前記コンピュータに実行させるためのプログラム。
【請求項２１】
画像形成装置の操作画面を表示し、その操作画面に対するタッチ操作で前記画像形成装置の動作モードの設定が可能な表示手段の縁部をユーザが把持した持ち手が、表示画面のタッチ操作検出領域に被さったか否かを検知する検知ステップと、
前記検知ステップによりユーザの持ち手がタッチ操作検出領域に被さるのが検知された際に、タッチ操作検出領域および画面表示領域を該持ち手から回避させる大きさに縮小する補正ステップと、
前記表示手段に表示されている操作画面中の操作キーの優先順位を決定する操作キー優先順位決定ステップと、
前記補正ステップにより縮小された画面表示領域における、操作キーを表示可能なキー表示可能領域を判断するキー表示領域判断ステップと、
前記操作キー優先順位決定ステップにより決定された操作キーの優先順位に基づいて、前記キー表示領域判断ステップにより判断されたキー表示可能領域内での操作キーのサイズ及び／またはレイアウトを含む表示形式を決定する表示形式決定ステップと、
前記決定された表示形式で表示された操作キーを含む操作画面を、前記縮小された画面表示領域に表示させる制御ステップと、
を画像形成装置用の操作入力装置のコンピュータに実行させ、
前記表示手段に表示されている操作画面が、データの送信宛先を選択するとともにデータの送信モードを設定するためのデータ送信出力設定画面であり、
前記操作キー優先順位決定ステップでは、前記データ送信出力設定画面中の操作キーの優先順位を決定するとともに、ボックス内文書が選択されている場合は、前記データ送信出力設定画面に表示されている複数の文書出力モード設定キーを第１優先とし、
前記表示形式決定ステップでは、前記キー表示可能領域内において、前記文書出力モード設定キーのレイアウトを維持したままでサイズを維持することができない場合は、レイアウトよりもサイズを優先し該レイアウトを変更する処理を前記コンピュータに実行させるためのプログラム。
【発明の詳細な説明】
【技術分野】
【０００１】
この発明は、例えば多機能デジタル複合機であるＭＦＰ（Multi Function Peripherals) 等の画像形成装置の操作画面を表示可能な表示手段を有し、該表示手段の画面に対するタッチ操作により画像形成装置の操作が可能な画像形成装置用の操作入力装置、該入力装置で実行される操作画面の表示制御方法及びプログラムに関する。
【背景技術】
【０００２】
各種のアプリケーションを搭載可能な携帯情報端末（タブレット端末ともいう）が普及するにつれて、画像形成装置、例えばＭＦＰを使うユーザも、ユーザ自身が保有するタブレット端末を使って該ＭＦＰの操作を行ないたいとの要望が多くなっている。このため、専用のアプリケーションをインストールして、そのタブレット端末の表示部にＭＦＰの操作画面やハードキーを表示させることにより、該タブレット端末からＭＦＰの操作が可能となる。
【０００３】
ところが、このようなタブレット端末では、その表示部の縁部をユーザが把持した際に、うっかり手のひらが表示画面中の操作キーに被さったり、接触した状態になると、操作キーを押下したと誤検知され、操作キーが意図しないままＯＮされたり、あるいは静電型タッチパネルであることから、その操作キーが押下されたままと判断されることにより、他の操作キーのタッチ操作が行えなくなってしまう等の問題を招くおそれがある。
【０００４】
この問題を解決するためには、タブレット端末の表示部の縁部に持ち手検出センサを設け、ユーザがタブレット端末を把持した際、持ち手がセンサで検出されると、画面表示部分や検出エリアが持ち手から回避されるように、これらの幅を縮小したりして補正することにより、前記操作キーの誤検出を防止する技術が知られている。
【０００５】
また、従来、タッチパネルを備えた入力装置において、ユーザが所定位置にあるアームレスト部分に手を置いたのを検知する検知手段を設け、ユーザがアームレスト部分に手を置いた時に、表示手段に表示されてタッチ操作される入力受け付けボタンを、手を検知しない時に比べて、所定位置に近づくように移動表示させることにより、例えば車に搭載されている状態で揺れの影響をあまり受けずに入力操作を可能にした技術が提案されている（例えば、特許文献１参照）。
【先行技術文献】
【特許文献】
【０００６】
【特許文献１】特開２００８−１２９６８９号公報
【発明の概要】
【発明が解決しようとする課題】
【０００７】
ところで、ＭＦＰの操作画面は、表示部とタッチ操作部が一体化しているので、前記した技術のようにタッチ操作部が縮小されると、表示部も一緒に小さくなってしまう。その場合、画面内に表示されている操作キーも縮小されて小さくなるか、縮小されて表示部にキーの配置が無秩序に変更されることになる。このため、所望のキーを押そうとしても、誤って他のキーを押下するおそれがあり、また、キー毎の関連性が分かりにくくなることにより、キーの誤入力が発生するおそれもある。
【０００８】
そのため、表示部が縮小されても、できるだけキーのサイズやレイアウトは維持させたままにしたいが、表示領域自体が小さくなってしまうため、全てのキーを対象にすることは難しい。
【０００９】
従って少なくとも、操作キーの中で重要性の高いキーについては、元の操作性を保てるように優先的にキーのサイズ／レイアウトといった表示形式を維持することが望ましい。
【００１０】
また、従来の先行技術においては、ユーザの手の位置を検知した際に、入力受け付けボタンの配置を変更し、また、必要な情報が表示されている場合には、キーの配置を変更しないようになっているものの、キー重要度等の情報に基づいてキー配列を変えるものでもなく、表示部分を縮小せた場合には全てのキーが小さくなるのは否めず、従来と同じ問題を招くことになる。
【００１１】
この発明は、上記実情に鑑みてなされたものであり、持ち手の接触を回避するため画面表示領域が縮小されても、重要性の高いキーについては操作性を維持することができる、携帯情報端末等からなる画像形成装置用の操作入力装置、該入力装置で実行される操作画面の表示制御方法及びプログラムを提供することを課題としている。
【課題を解決するための手段】
【００１２】
上記課題は、以下の手段によって解決される。
（１）画像形成装置の操作画面を表示し、その操作画面に対するタッチ操作で前記画像形成装置の動作モードの設定が可能な表示手段と、ユーザが該表示手段の縁部を把持した持ち手が表示画面のタッチ操作検出領域に被さったか否かを検知する検知手段と、前記検知手段によりユーザの持ち手がタッチ操作検出領域に被さるのが検知された際に、タッチ操作検出領域および画面表示領域を該持ち手から回避させる大きさに縮小する補正手段と、前記表示手段に表示されている操作画面中の操作キーの優先順位を決定する操作キー優先順位決定手段と、前記補正手段により縮小された画面表示領域における、操作キーを表示可能なキー表示可能領域を判断するキー表示領域判断手段と、前記操作キー優先順位決定手段により決定された操作キーの優先順位に基づいて、前記キー表示領域判断手段により判断されたキー表示可能領域内での操作キーのサイズ及び／またはレイアウトを含む表示形式を決定する表示形式決定手段と、前記決定された表示形式で表示された操作キーを含む操作画面を、前記縮小された画面表示領域に表示させる制御手段と、を備え、前記表示手段に表示されている操作画面が、印字条件を設定してデータを印字するための印字出力モード設定画面であり、前記操作キー優先順位決定手段は、前記印字出力モード設定画面中の操作キーの優先順位を決定するとともに、前記操作キーが、相互に独立した１個または複数個のモード設定キーである場合は、これらのモード設定キーを第１優先とし、前記表示形式決定手段は、前記キー表示可能領域内において、前記モード設定キーのレイアウトを維持したままでサイズを維持することができない場合は、レイアウトよりもサイズを優先し該レイアウトを変更することを特徴とする画像形成装置用の操作入力装置。
（２）画像形成装置の操作画面を表示し、その操作画面に対するタッチ操作で前記画像形成装置の動作モードの設定が可能な表示手段と、ユーザが該表示手段の縁部を把持した持ち手が表示画面のタッチ操作検出領域に被さったか否かを検知する検知手段と、前記検知手段によりユーザの持ち手がタッチ操作検出領域に被さるのが検知された際に、タッチ操作検出領域および画面表示領域を該持ち手から回避させる大きさに縮小する補正手段と、前記表示手段に表示されている操作画面中の操作キーの優先順位を決定する操作キー優先順位決定手段と、前記補正手段により縮小された画面表示領域における、操作キーを表示可能なキー表示可能領域を判断するキー表示領域判断手段と、前記操作キー優先順位決定手段により決定された操作キーの優先順位に基づいて、前記キー表示領域判断手段により判断されたキー表示可能領域内での操作キーのサイズ及び／またはレイアウトを含む表示形式を決定する表示形式決定手段と、前記決定された表示形式で表示された操作キーを含む操作画面を、前記縮小された画面表示領域に表示させる制御手段と、を備え、前記表示手段に表示されている操作画面が、印字条件を設定してデータを印字するための印字出力モード設定画面であり、前記操作キー優先順位決定手段は、前記印字出力モード設定画面中の操作キーの優先順位を決定するとともに、前記操作キーが、レベル設定に関して昇順あるいは降順に配置された複数個のレベル出力選択キーである場合は、これらのレベル出力選択キーを第１優先とし、前記表示形式決定手段は、前記キー表示可能領域内において、前記レベル出力選択キーのサイズを維持したままでレイアウトを維持することができない場合は、サイズよりもレイアウトを優先し該サイズを縮小することを特徴とする画像形成装置用の操作入力装置。
（３）画像形成装置の操作画面を表示し、その操作画面に対するタッチ操作で前記画像形成装置の動作モードの設定が可能な表示手段と、ユーザが該表示手段の縁部を把持した持ち手が表示画面のタッチ操作検出領域に被さったか否かを検知する検知手段と、前記検知手段によりユーザの持ち手がタッチ操作検出領域に被さるのが検知された際に、タッチ操作検出領域および画面表示領域を該持ち手から回避させる大きさに縮小する補正手段と、前記表示手段に表示されている操作画面中の操作キーの優先順位を決定する操作キー優先順位決定手段と、前記補正手段により縮小された画面表示領域における、操作キーを表示可能なキー表示可能領域を判断するキー表示領域判断手段と、前記操作キー優先順位決定手段により決定された操作キーの優先順位に基づいて、前記キー表示領域判断手段により判断されたキー表示可能領域内での操作キーのサイズ及び／またはレイアウトを含む表示形式を決定する表示形式決定手段と、前記決定された表示形式で表示された操作キーを含む操作画面を、前記縮小された画面表示領域に表示させる制御手段と、を備え、前記表示手段に表示されている操作画面が、データの送信宛先を選択するとともにデータの送信モードを設定するためのデータ送信出力設定画面であり、前記操作キー優先順位決定手段は、前記データ送信出力設定画面中の操作キーの優先順位を決定するとともに、送信宛先が選択されていない場合は、前記データ送信出力設定画面に表示されている複数の宛先選択キーを第１優先とし、前記表示形式決定手段は、前記キー表示可能領域内において、前記宛先選択キーのレイアウトを維持したままでサイズを維持することができない場合は、レイアウトよりもサイズを優先し該レイアウトを変更することを特徴とする画像形成装置用の操作入力装置。
（４）画像形成装置の操作画面を表示し、その操作画面に対するタッチ操作で前記画像形成装置の動作モードの設定が可能な表示手段と、ユーザが該表示手段の縁部を把持した持ち手が表示画面のタッチ操作検出領域に被さったか否かを検知する検知手段と、前記検知手段によりユーザの持ち手がタッチ操作検出領域に被さるのが検知された際に、タッチ操作検出領域および画面表示領域を該持ち手から回避させる大きさに縮小する補正手段と、前記表示手段に表示されている操作画面中の操作キーの優先順位を決定する操作キー優先順位決定手段と、前記補正手段により縮小された画面表示領域における、操作キーを表示可能なキー表示可能領域を判断するキー表示領域判断手段と、前記操作キー優先順位決定手段により決定された操作キーの優先順位に基づいて、前記キー表示領域判断手段により判断されたキー表示可能領域内での操作キーのサイズ及び／またはレイアウトを含む表示形式を決定する表示形式決定手段と、前記決定された表示形式で表示された操作キーを含む操作画面を、前記縮小された画面表示領域に表示させる制御手段と、を備え、前記表示手段に表示されている操作画面が、データの送信宛先を選択するとともにデータの送信モードを設定するためのデータ送信出力設定画面であり、前記操作キー優先順位決定手段は、前記データ送信出力設定画面中の操作キーの優先順位を決定するとともに、送信宛先が選択されている場合は、前記データ送信出力設定画面に表示されている複数のデータ送信モード設定キーを第１優先順位とし、前記表示形式決定手段は、前記キー表示可能領域内において、前記データ送信モード設定キーのレイアウトを維持したままでサイズを維持することができない場合は、レイアウトよりもサイズを優先し該レイアウトを変更することを特徴とする画像形成装置用の操作入力装置。
（５）画像形成装置の操作画面を表示し、その操作画面に対するタッチ操作で前記画像形成装置の動作モードの設定が可能な表示手段と、ユーザが該表示手段の縁部を把持した持ち手が表示画面のタッチ操作検出領域に被さったか否かを検知する検知手段と、前記検知手段によりユーザの持ち手がタッチ操作検出領域に被さるのが検知された際に、タッチ操作検出領域および画面表示領域を該持ち手から回避させる大きさに縮小する補正手段と、前記表示手段に表示されている操作画面中の操作キーの優先順位を決定する操作キー優先順位決定手段と、前記補正手段により縮小された画面表示領域における、操作キーを表示可能なキー表示可能領域を判断するキー表示領域判断手段と、前記操作キー優先順位決定手段により決定された操作キーの優先順位に基づいて、前記キー表示領域判断手段により判断されたキー表示可能領域内での操作キーのサイズ及び／またはレイアウトを含む表示形式を決定する表示形式決定手段と、前記決定された表示形式で表示された操作キーを含む操作画面を、前記縮小された画面表示領域に表示させる制御手段と、を備え、前記表示手段に表示されている操作画面が、記憶領域であるボックス内の文書を選択して出力するためのボックス内文書出力設定画面であり、前記操作キー優先順位決定手段は、前記ボックス内文書出力設定画面中の操作キーの優先順位を決定することを特徴とする画像形成装置用の操作入力装置。
（６）前記操作キー優先順位決定手段は、ボックス内文書が選択されていない場合は、前記ボックス内文書出力設定画面に表示されている複数のボックス内文書選択キーを第１優先とし、前記表示形式決定手段は、前記キー表示可能領域内において、前記ボックス内文書選択キーのレイアウトを維持したままでサイズを維持することができない場合は、レイアウトよりもサイズを優先し該レイアウトを変更する前項５に記載の画像形成装置用の操作入力装置。
（７）画像形成装置の操作画面を表示し、その操作画面に対するタッチ操作で前記画像形成装置の動作モードの設定が可能な表示手段と、ユーザが該表示手段の縁部を把持した持ち手が表示画面のタッチ操作検出領域に被さったか否かを検知する検知手段と、前記検知手段によりユーザの持ち手がタッチ操作検出領域に被さるのが検知された際に、タッチ操作検出領域および画面表示領域を該持ち手から回避させる大きさに縮小する補正手段と、前記表示手段に表示されている操作画面中の操作キーの優先順位を決定する操作キー優先順位決定手段と、前記補正手段により縮小された画面表示領域における、操作キーを表示可能なキー表示可能領域を判断するキー表示領域判断手段と、前記操作キー優先順位決定手段により決定された操作キーの優先順位に基づいて、前記キー表示領域判断手段により判断されたキー表示可能領域内での操作キーのサイズ及び／またはレイアウトを含む表示形式を決定する表示形式決定手段と、前記決定された表示形式で表示された操作キーを含む操作画面を、前記縮小された画面表示領域に表示させる制御手段と、を備え、前記表示手段に表示されている操作画面が、データの送信宛先を選択するとともにデータの送信モードを設定するためのデータ送信出力設定画面であり、前記操作キー優先順位決定手段は、前記データ送信出力設定画面中の操作キーの優先順位を決定するとともに、ボックス内文書が選択されている場合は、前記データ送信出力設定画面に表示されている複数の文書出力モード設定キーを第１優先とし、前記表示形式決定手段は、前記キー表示可能領域内において、前記文書出力モード設定キーのレイアウトを維持したままでサイズを維持することができない場合は、レイアウトよりもサイズを優先し該レイアウトを変更することを特徴とする画像形成装置用の操作入力装置。
（８）前記表示形式決定手段により、優先順位が上位の操作キーの表示形式が決定された後、キー表示可能領域内の空き領域に優先順位が下位の操作キーを表示できない場合には、前記制御手段は、新規に画面遷移キーを設け、前記画面遷移キーからの遷移先画面で前記下位の操作キーを表示する前項１〜７のいずれかに記載の画像形成装置用の操作入力装置。
（９）前記画像形成装置によりユーザ情報に基づく認証管理が可能であるとともに、ユーザ毎に前記ユーザ情報として優先順位が上位の操作キーを設定可能に構成されており、ユーザ認証時において、ユーザ情報として優先順位が上位の操作キーが設定されている場合には、前記操作キー優先順位決定手段は、前記画像形成装置から取得した情報に基づいて、前記ユーザ情報として設定されている操作キーを第１優先とする前項１〜８のいずれかに記載の画像形成装置用の操作入力装置。
（１０）画像形成装置の操作画面を表示し、その操作画面に対するタッチ操作で前記画像形成装置の動作モードの設定が可能な表示手段の縁部をユーザが把持した持ち手が、表示画面のタッチ操作検出領域に被さったか否かを検知する検知ステップと、前記検知ステップによりユーザの持ち手がタッチ操作検出領域に被さるのが検知された際に、タッチ操作検出領域および画面表示領域を該持ち手から回避させる大きさに縮小する補正ステップと、前記表示手段に表示されている操作画面中の操作キーの優先順位を決定する操作キー優先順位決定ステップと、前記補正ステップにより縮小された画面表示領域における、操作キーを表示可能なキー表示可能領域を判断するキー表示領域判断ステップと、前記操作キー優先順位決定ステップにより決定された操作キーの優先順位に基づいて、前記キー表示領域判断ステップにより判断されたキー表示可能領域内での操作キーのサイズ及び／またはレイアウトを含む表示形式を決定する表示形式決定ステップと、前記決定された表示形式で表示された操作キーを含む操作画面を、前記縮小された画面表示領域に表示させる制御ステップと、を備え、前記表示手段に表示されている操作画面が、印字条件を設定してデータを印字するための印字出力モード設定画面であり、前記操作キー優先順位決定ステップでは、前記印字出力モード設定画面中の操作キーの優先順位を決定するとともに、前記操作キーが、相互に独立した１個または複数個のモード設定キーである場合は、これらのモード設定キーを第１優先とし、前記表示形式決定ステップでは、前記キー表示可能領域内において、前記モード設定キーのレイアウトを維持したままでサイズを維持することができない場合は、レイアウトよりもサイズを優先し該レイアウトを変更することを特徴とする画像形成装置用の操作入力装置で実行される操作画面の表示制御方法。
（１１）画像形成装置の操作画面を表示し、その操作画面に対するタッチ操作で前記画像形成装置の動作モードの設定が可能な表示手段の縁部をユーザが把持した持ち手が、表示画面のタッチ操作検出領域に被さったか否かを検知する検知ステップと、前記検知ステップによりユーザの持ち手がタッチ操作検出領域に被さるのが検知された際に、タッチ操作検出領域および画面表示領域を該持ち手から回避させる大きさに縮小する補正ステップと、前記表示手段に表示されている操作画面中の操作キーの優先順位を決定する操作キー優先順位決定ステップと、前記補正ステップにより縮小された画面表示領域における、操作キーを表示可能なキー表示可能領域を判断するキー表示領域判断ステップと、前記操作キー優先順位決定ステップにより決定された操作キーの優先順位に基づいて、前記キー表示領域判断ステップにより判断されたキー表示可能領域内での操作キーのサイズ及び／またはレイアウトを含む表示形式を決定する表示形式決定ステップと、前記決定された表示形式で表示された操作キーを含む操作画面を、前記縮小された画面表示領域に表示させる制御ステップと、を備え、前記表示手段に表示されている操作画面が、印字条件を設定してデータを印字するための印字出力モード設定画面であり、前記操作キー優先順位決定ステップでは、前記印字出力モード設定画面中の操作キーの優先順位を決定するとともに、前記操作キーが、レベル設定に関して昇順あるいは降順に配置された複数個のレベル出力選択キーである場合は、これらのレベル出力選択キーを第１優先とし、前記表示形式決定ステップでは、前記キー表示可能領域内において、前記レベル出力選択キーのサイズを維持したままでレイアウトを維持することができない場合は、サイズよりもレイアウトを優先し該サイズを縮小することを特徴とする画像形成装置用の操作入力装置で実行される操作画面の表示制御方法。
（１２）画像形成装置の操作画面を表示し、その操作画面に対するタッチ操作で前記画像形成装置の動作モードの設定が可能な表示手段の縁部をユーザが把持した持ち手が、表示画面のタッチ操作検出領域に被さったか否かを検知する検知ステップと、前記検知ステップによりユーザの持ち手がタッチ操作検出領域に被さるのが検知された際に、タッチ操作検出領域および画面表示領域を該持ち手から回避させる大きさに縮小する補正ステップと、前記表示手段に表示されている操作画面中の操作キーの優先順位を決定する操作キー優先順位決定ステップと、前記補正ステップにより縮小された画面表示領域における、操作キーを表示可能なキー表示可能領域を判断するキー表示領域判断ステップと、前記操作キー優先順位決定ステップにより決定された操作キーの優先順位に基づいて、前記キー表示領域判断ステップにより判断されたキー表示可能領域内での操作キーのサイズ及び／またはレイアウトを含む表示形式を決定する表示形式決定ステップと、前記決定された表示形式で表示された操作キーを含む操作画面を、前記縮小された画面表示領域に表示させる制御ステップと、を備え、前記表示手段に表示されている操作画面が、データの送信宛先を選択するとともにデータの送信モードを設定するためのデータ送信出力設定画面であり、前記操作キー優先順位決定ステップでは、前記データ送信出力設定画面中の操作キーの優先順位を決定するとともに、送信宛先が選択されていない場合は、前記データ送信出力設定画面に表示されている複数の宛先選択キーを第１優先とし、前記表示形式決定ステップでは、前記キー表示可能領域内において、前記宛先選択キーのレイアウトを維持したままでサイズを維持することができない場合は、レイアウトよりもサイズを優先し該レイアウトを変更することを特徴とする画像形成装置用の操作入力装置で実行される操作画面の表示制御方法。
（１３）画像形成装置の操作画面を表示し、その操作画面に対するタッチ操作で前記画像形成装置の動作モードの設定が可能な表示手段の縁部をユーザが把持した持ち手が、表示画面のタッチ操作検出領域に被さったか否かを検知する検知ステップと、前記検知ステップによりユーザの持ち手がタッチ操作検出領域に被さるのが検知された際に、タッチ操作検出領域および画面表示領域を該持ち手から回避させる大きさに縮小する補正ステップと、前記表示手段に表示されている操作画面中の操作キーの優先順位を決定する操作キー優先順位決定ステップと、前記補正ステップにより縮小された画面表示領域における、操作キーを表示可能なキー表示可能領域を判断するキー表示領域判断ステップと、前記操作キー優先順位決定ステップにより決定された操作キーの優先順位に基づいて、前記キー表示領域判断ステップにより判断されたキー表示可能領域内での操作キーのサイズ及び／またはレイアウトを含む表示形式を決定する表示形式決定ステップと、前記決定された表示形式で表示された操作キーを含む操作画面を、前記縮小された画面表示領域に表示させる制御ステップと、を備え、前記表示手段に表示されている操作画面が、データの送信宛先を選択するとともにデータの送信モードを設定するためのデータ送信出力設定画面であり、前記操作キー優先順位決定ステップでは、前記データ送信出力設定画面中の操作キーの優先順位を決定するとともに、送信宛先が選択されている場合は、前記データ送信出力設定画面に表示されている複数のデータ送信モード設定キーを第１優先順位とし、前記表示形式決定ステップでは、前記キー表示可能領域内において、前記データ送信モード設定キーのレイアウトを維持したままでサイズを維持することができない場合は、レイアウトよりもサイズを優先し該レイアウトを変更することを特徴とする画像形成装置用の操作入力装置で実行される操作画面の表示制御方法。
（１４）画像形成装置の操作画面を表示し、その操作画面に対するタッチ操作で前記画像形成装置の動作モードの設定が可能な表示手段の縁部をユーザが把持した持ち手が、表示画面のタッチ操作検出領域に被さったか否かを検知する検知ステップと、前記検知ステップによりユーザの持ち手がタッチ操作検出領域に被さるのが検知された際に、タッチ操作検出領域および画面表示領域を該持ち手から回避させる大きさに縮小する補正ステップと、前記表示手段に表示されている操作画面中の操作キーの優先順位を決定する操作キー優先順位決定ステップと、前記補正ステップにより縮小された画面表示領域における、操作キーを表示可能なキー表示可能領域を判断するキー表示領域判断ステップと、前記操作キー優先順位決定ステップにより決定された操作キーの優先順位に基づいて、前記キー表示領域判断ステップにより判断されたキー表示可能領域内での操作キーのサイズ及び／またはレイアウトを含む表示形式を決定する表示形式決定ステップと、前記決定された表示形式で表示された操作キーを含む操作画面を、前記縮小された画面表示領域に表示させる制御ステップと、を備え、前記表示手段に表示されている操作画面が、記憶領域であるボックス内の文書を選択して出力するためのボックス内文書出力設定画面であり、前記操作キー優先順位決定ステップでは、前記ボックス内文書出力設定画面中の操作キーの優先順位を決定することを特徴とする画像形成装置用の操作入力装置で実行される操作画面の表示制御方法。
（１５）画像形成装置の操作画面を表示し、その操作画面に対するタッチ操作で前記画像形成装置の動作モードの設定が可能な表示手段の縁部をユーザが把持した持ち手が、表示画面のタッチ操作検出領域に被さったか否かを検知する検知ステップと、前記検知ステップによりユーザの持ち手がタッチ操作検出領域に被さるのが検知された際に、タッチ操作検出領域および画面表示領域を該持ち手から回避させる大きさに縮小する補正ステップと、前記表示手段に表示されている操作画面中の操作キーの優先順位を決定する操作キー優先順位決定ステップと、前記補正ステップにより縮小された画面表示領域における、操作キーを表示可能なキー表示可能領域を判断するキー表示領域判断ステップと、前記操作キー優先順位決定ステップにより決定された操作キーの優先順位に基づいて、前記キー表示領域判断ステップにより判断されたキー表示可能領域内での操作キーのサイズ及び／またはレイアウトを含む表示形式を決定する表示形式決定ステップと、前記決定された表示形式で表示された操作キーを含む操作画面を、前記縮小された画面表示領域に表示させる制御ステップと、を備え、前記表示手段に表示されている操作画面が、データの送信宛先を選択するとともにデータの送信モードを設定するためのデータ送信出力設定画面であり、前記操作キー優先順位決定ステップでは、前記データ送信出力設定画面中の操作キーの優先順位を決定するとともに、ボックス内文書が選択されている場合は、前記データ送信出力設定画面に表示されている複数の文書出力モード設定キーを第１優先とし、前記表示形式決定ステップでは、前記キー表示可能領域内において、前記文書出力モード設定キーのレイアウトを維持したままでサイズを維持することができない場合は、レイアウトよりもサイズを優先し該レイアウトを変更することを特徴とする画像形成装置用の操作入力装置で実行される操作画面の表示制御方法。
（１６）画像形成装置の操作画面を表示し、その操作画面に対するタッチ操作で前記画像形成装置の動作モードの設定が可能な表示手段の縁部をユーザが把持した持ち手が、表示画面のタッチ操作検出領域に被さったか否かを検知する検知ステップと、前記検知ステップによりユーザの持ち手がタッチ操作検出領域に被さるのが検知された際に、タッチ操作検出領域および画面表示領域を該持ち手から回避させる大きさに縮小する補正ステップと、前記表示手段に表示されている操作画面中の操作キーの優先順位を決定する操作キー優先順位決定ステップと、前記補正ステップにより縮小された画面表示領域における、操作キーを表示可能なキー表示可能領域を判断するキー表示領域判断ステップと、前記操作キー優先順位決定ステップにより決定された操作キーの優先順位に基づいて、前記キー表示領域判断ステップにより判断されたキー表示可能領域内での操作キーのサイズ及び／またはレイアウトを含む表示形式を決定する表示形式決定ステップと、前記決定された表示形式で表示された操作キーを含む操作画面を、前記縮小された画面表示領域に表示させる制御ステップと、を画像形成装置用の操作入力装置のコンピュータに実行させ、前記表示手段に表示されている操作画面が、印字条件を設定してデータを印字するための印字出力モード設定画面であり、前記操作キー優先順位決定ステップでは、前記印字出力モード設定画面中の操作キーの優先順位を決定するとともに、前記操作キーが、相互に独立した１個または複数個のモード設定キーである場合は、これらのモード設定キーを第１優先とし、前記表示形式決定ステップでは、前記キー表示可能領域内において、前記モード設定キーのレイアウトを維持したままでサイズを維持することができない場合は、レイアウトよりもサイズを優先し該レイアウトを変更する処理を前記コンピュータに実行させるためのプログラム。
（１７）画像形成装置の操作画面を表示し、その操作画面に対するタッチ操作で前記画像形成装置の動作モードの設定が可能な表示手段の縁部をユーザが把持した持ち手が、表示画面のタッチ操作検出領域に被さったか否かを検知する検知ステップと、前記検知ステップによりユーザの持ち手がタッチ操作検出領域に被さるのが検知された際に、タッチ操作検出領域および画面表示領域を該持ち手から回避させる大きさに縮小する補正ステップと、前記表示手段に表示されている操作画面中の操作キーの優先順位を決定する操作キー優先順位決定ステップと、前記補正ステップにより縮小された画面表示領域における、操作キーを表示可能なキー表示可能領域を判断するキー表示領域判断ステップと、前記操作キー優先順位決定ステップにより決定された操作キーの優先順位に基づいて、前記キー表示領域判断ステップにより判断されたキー表示可能領域内での操作キーのサイズ及び／またはレイアウトを含む表示形式を決定する表示形式決定ステップと、前記決定された表示形式で表示された操作キーを含む操作画面を、前記縮小された画面表示領域に表示させる制御ステップと、を画像形成装置用の操作入力装置のコンピュータに実行させ、前記表示手段に表示されている操作画面が、印字条件を設定してデータを印字するための印字出力モード設定画面であり、前記操作キー優先順位決定ステップでは、前記印字出力モード設定画面中の操作キーの優先順位を決定するとともに、前記操作キーが、レベル設定に関して昇順あるいは降順に配置された複数個のレベル出力選択キーである場合は、これらのレベル出力選択キーを第１優先とし、前記表示形式決定ステップでは、前記キー表示可能領域内において、前記レベル出力選択キーのサイズを維持したままでレイアウトを維持することができない場合は、サイズよりもレイアウトを優先し該サイズを縮小する処理を前記コンピュータに実行させるためのプログラム。
（１８）画像形成装置の操作画面を表示し、その操作画面に対するタッチ操作で前記画像形成装置の動作モードの設定が可能な表示手段の縁部をユーザが把持した持ち手が、表示画面のタッチ操作検出領域に被さったか否かを検知する検知ステップと、前記検知ステップによりユーザの持ち手がタッチ操作検出領域に被さるのが検知された際に、タッチ操作検出領域および画面表示領域を該持ち手から回避させる大きさに縮小する補正ステップと、前記表示手段に表示されている操作画面中の操作キーの優先順位を決定する操作キー優先順位決定ステップと、前記補正ステップにより縮小された画面表示領域における、操作キーを表示可能なキー表示可能領域を判断するキー表示領域判断ステップと、前記操作キー優先順位決定ステップにより決定された操作キーの優先順位に基づいて、前記キー表示領域判断ステップにより判断されたキー表示可能領域内での操作キーのサイズ及び／またはレイアウトを含む表示形式を決定する表示形式決定ステップと、前記決定された表示形式で表示された操作キーを含む操作画面を、前記縮小された画面表示領域に表示させる制御ステップと、を画像形成装置用の操作入力装置のコンピュータに実行させ、前記表示手段に表示されている操作画面が、データの送信宛先を選択するとともにデータの送信モードを設定するためのデータ送信出力設定画面であり、前記操作キー優先順位決定ステップでは、前記データ送信出力設定画面中の操作キーの優先順位を決定するとともに、送信宛先が選択されていない場合は、前記データ送信出力設定画面に表示されている複数の宛先選択キーを第１優先とし、前記表示形式決定ステップでは、前記キー表示可能領域内において、前記宛先選択キーのレイアウトを維持したままでサイズを維持することができない場合は、レイアウトよりもサイズを優先し該レイアウトを変更する処理を前記コンピュータに実行させるためのプログラム。
（１９）画像形成装置の操作画面を表示し、その操作画面に対するタッチ操作で前記画像形成装置の動作モードの設定が可能な表示手段の縁部をユーザが把持した持ち手が、表示画面のタッチ操作検出領域に被さったか否かを検知する検知ステップと、前記検知ステップによりユーザの持ち手がタッチ操作検出領域に被さるのが検知された際に、タッチ操作検出領域および画面表示領域を該持ち手から回避させる大きさに縮小する補正ステップと、前記表示手段に表示されている操作画面中の操作キーの優先順位を決定する操作キー優先順位決定ステップと、前記補正ステップにより縮小された画面表示領域における、操作キーを表示可能なキー表示可能領域を判断するキー表示領域判断ステップと、前記操作キー優先順位決定ステップにより決定された操作キーの優先順位に基づいて、前記キー表示領域判断ステップにより判断されたキー表示可能領域内での操作キーのサイズ及び／またはレイアウトを含む表示形式を決定する表示形式決定ステップと、前記決定された表示形式で表示された操作キーを含む操作画面を、前記縮小された画面表示領域に表示させる制御ステップと、を画像形成装置用の操作入力装置のコンピュータに実行させ、前記表示手段に表示されている操作画面が、データの送信宛先を選択するとともにデータの送信モードを設定するためのデータ送信出力設定画面であり、前記操作キー優先順位決定ステップでは、前記データ送信出力設定画面中の操作キーの優先順位を決定するとともに、送信宛先が選択されている場合は、前記データ送信出力設定画面に表示されている複数のデータ送信モード設定キーを第１優先順位とし、前記表示形式決定ステップでは、前記キー表示可能領域内において、前記データ送信モード設定キーのレイアウトを維持したままでサイズを維持することができない場合は、レイアウトよりもサイズを優先し該レイアウトを変更する処理を前記コンピュータに実行させるためのプログラム。
（２０）画像形成装置の操作画面を表示し、その操作画面に対するタッチ操作で前記画像形成装置の動作モードの設定が可能な表示手段の縁部をユーザが把持した持ち手が、表示画面のタッチ操作検出領域に被さったか否かを検知する検知ステップと、前記検知ステップによりユーザの持ち手がタッチ操作検出領域に被さるのが検知された際に、タッチ操作検出領域および画面表示領域を該持ち手から回避させる大きさに縮小する補正ステップと、前記表示手段に表示されている操作画面中の操作キーの優先順位を決定する操作キー優先順位決定ステップと、前記補正ステップにより縮小された画面表示領域における、操作キーを表示可能なキー表示可能領域を判断するキー表示領域判断ステップと、前記操作キー優先順位決定ステップにより決定された操作キーの優先順位に基づいて、前記キー表示領域判断ステップにより判断されたキー表示可能領域内での操作キーのサイズ及び／またはレイアウトを含む表示形式を決定する表示形式決定ステップと、前記決定された表示形式で表示された操作キーを含む操作画面を、前記縮小された画面表示領域に表示させる制御ステップと、を画像形成装置用の操作入力装置のコンピュータに実行させ、前記表示手段に表示されている操作画面が、記憶領域であるボックス内の文書を選択して出力するためのボックス内文書出力設定画面であり、前記操作キー優先順位決定ステップでは、前記ボックス内文書出力設定画面中の操作キーの優先順位を決定する処理を前記コンピュータに実行させるためのプログラム。
（２１）画像形成装置の操作画面を表示し、その操作画面に対するタッチ操作で前記画像形成装置の動作モードの設定が可能な表示手段の縁部をユーザが把持した持ち手が、表示画面のタッチ操作検出領域に被さったか否かを検知する検知ステップと、前記検知ステップによりユーザの持ち手がタッチ操作検出領域に被さるのが検知された際に、タッチ操作検出領域および画面表示領域を該持ち手から回避させる大きさに縮小する補正ステップと、前記表示手段に表示されている操作画面中の操作キーの優先順位を決定する操作キー優先順位決定ステップと、前記補正ステップにより縮小された画面表示領域における、操作キーを表示可能なキー表示可能領域を判断するキー表示領域判断ステップと、前記操作キー優先順位決定ステップにより決定された操作キーの優先順位に基づいて、前記キー表示領域判断ステップにより判断されたキー表示可能領域内での操作キーのサイズ及び／またはレイアウトを含む表示形式を決定する表示形式決定ステップと、前記決定された表示形式で表示された操作キーを含む操作画面を、前記縮小された画面表示領域に表示させる制御ステップと、を画像形成装置用の操作入力装置のコンピュータに実行させ、前記表示手段に表示されている操作画面が、データの送信宛先を選択するとともにデータの送信モードを設定するためのデータ送信出力設定画面であり、前記操作キー優先順位決定ステップでは、前記データ送信出力設定画面中の操作キーの優先順位を決定するとともに、ボックス内文書が選択されている場合は、前記データ送信出力設定画面に表示されている複数の文書出力モード設定キーを第１優先とし、前記表示形式決定ステップでは、前記キー表示可能領域内において、前記文書出力モード設定キーのレイアウトを維持したままでサイズを維持することができない場合は、レイアウトよりもサイズを優先し該レイアウトを変更する処理を前記コンピュータに実行させるためのプログラム。
【発明の効果】
【００１３】
前項（１）に記載の発明によれば、前記表示手段に画像形成装置の操作画面が表示されている状態で、前記検知手段によりユーザが把持した持ち手が画面のタッチ操作検出領域に被さるのが検知された際に、前記補正手段によりタッチ操作検出領域および画面表示領域が該持ち手から回避される大きさに縮小補正される。一方、表示手段に表示されている操作画面中の操作キーの優先順位が操作キー優先順位決定手段により決定され、さらに、キー表示領域判断手段により操作キーを表示可能なキー表示可能領域が判断される。そして、決定された操作キーの優先順位に基づいて、前記キー表示領域判断手段により判断されたキー表示可能領域内での操作キーのサイズ及び／またはレイアウトを含む表示形式が決定され、決定された表示形式で、縮小された画面表示領域の操作画面に操作キーが表示される。
【００１４】
つまり、操作画面中の重要性の高い操作キーについては、元の操作性が維持されるように優先的にキーのサイズ及び／またはレイアウトを含む表示形式が決定されるので、表示画面が縮小されても、重要性の高いキーの操作性を維持することができる。
【００１５】
また、表示手段に表示されている操作画面が、印字条件を設定してデータを印字するための印字出力モード設定画面である場合は、この印字出力モード設定画面中の操作キーの優先順位が決定される
また、操作キーが、相互に関係しない１個または複数個のモード設定キーである場合は、これらのモード設定キーが第１優先とされ、キー表示可能領域内において、前記モード設定キーのレイアウトを維持したままでサイズを維持することができない場合は、レイアウトよりもサイズが優先されレイアウトは変更されて表示されるから、モード設定キーの操作性が維持される。
【００１６】
前項（２）に記載の発明によれば、操作キーが、レベル設定に関して昇順あるいは降順に配置された複数個のレベル出力選択キーである場合は、これらのレベル出力選択キーが第１優先とされ、キー表示可能領域内において、前記レベル出力選択キーのサイズを維持したままでレイアウトを維持することができない場合は、サイズよりもレイアウトが優先されサイズは縮小されて表示されるから、レベル出力選択キーの操作性が維持される。
【００１７】
前項（３）に記載の発明によれば、操作画面が、データの送信宛先を選択するとともにデータの送信モードを設定するためのデータ送信出力設定画面である場合は、このデータ送信出力設定画面中の操作キーの優先順位が決定される。
【００１８】
また、送信宛先が選択されていない場合は、データ送信出力設定画面に表示されている複数の宛先選択キーが第１優先とされ、キー表示可能領域内において、前記モード設定キーのレイアウトを維持したままでサイズを維持することができない場合は、レイアウトよりもサイズが優先されレイアウトが変更されて表示されるから、宛先選択キーの操作性が維持される。
【００１９】
前項（４）に記載の発明によれば、送信宛先が選択されている場合は、データ送信出力設定画面に表示されている複数のデータ送信モード設定キーが第１優先とされ、キー表示可能領域内において、前記データ送信モード設定キーのレイアウトを維持したままでサイズを維持することができない場合は、レイアウトよりもサイズが優先されレイアウトが変更されて表示されるから、データ送信モード設定キーの操作性が維持される。
【００２０】
前項（５）に記載の発明によれば、操作画面が、記憶領域であるボックス内の文書を選択して出力するためのボックス内文書出力設定画面である場合は、このボックス内文書出力設定画面中の操作キーの優先順位が決定される。
【００２１】
前項（６）に記載の発明によれば、ボックス内文書が選択されていない場合は、ボックス内文書出力設定画面に表示されている複数のボックス内文書選択キーが第１優先とされ、キー表示可能領域内において、前記ボックス内文書選択キーのレイアウトを維持したままでサイズを維持することができない場合は、レイアウトよりもサイズが優先されレイアウトが変更されて表示されるから、ボックス内文書選択キーの操作性が維持される。
【００２２】
前項（７）に記載の発明によれば、ボックス内文書が選択されている場合は、ボックス内文書出力設定画面に表示されている複数の文書出力モード設定キーが第１優先とされ、キー表示可能領域内において、前記文書出力モード設定キーのレイアウトを維持したままでサイズを維持することができない場合は、レイアウトよりもサイズが優先されレイアウトが変更されて表示されるから、文書出力モード設定キーの操作性が維持される。
【００２３】
前項（８）に記載の発明によれば、優先順位が上位の操作キーの表示形式が決定された後、キー表示可能領域内の空き領域に優先順位が下位の操作キーを表示できない場合には、新規に画面遷移キーが設けられ、前記画面遷移キーからの遷移先画面で前記下位の操作キーが表示されるから、操作キーが表示されなくなる不都合を回避できる。
【００２４】
前項（９）に記載の発明によれば、画像形成装置においてユーザ情報として優先順位が上位の操作キーを設定可能となるから、表示画面が縮小されたときにどの操作キーを優先して表示するかについてユーザの意思を反映させることができる。
【図面の簡単な説明】
【００２５】
【図１】この発明の一実施形態に係る画像形成装置用の操作入力装置として携帯情報端末が用いられた画像形成システムを示す概略構成図である。
【図２】同じく画像形成システムにおけるＭＦＰの電気的構成を示すブロック図である。
【図３】同じく画像形成システムにおける携帯情報端末の電気的構成を示すブロック図である。
【図４】携帯情報端末を把持したユーザの持ち手がセンサで検出された場合の表示制御処理の流れを示すフローチャートである。
【図５】（Ａ）は、ユーザの持ち手が持ち手検出センサで検出された状態の携帯情報端末の表示画面例を示す図、（Ｂ）は、タッチ検出エリアが補正された場合の画面例を示す図、（Ｃ）は表示形式決定後の操作画面の例を示す図である。
【図６】（Ａ）は、ユーザの持ち手が持ち手検出センサで検出された状態の携帯情報端末の下地調整画面の画面例を示す図、（Ｂ）は、タッチ検出エリアが縮小された場合の画面例を示す図、（Ｃ）は表示形式決定後の操作画面の例を示す図である。
【図７】携帯情報端末の表示部に印字出力モード設定画面が表示されている状態で、タッチ検出エリアが縮小されたときの表示制御処理の流れを示すフローチャートである。
【図８】宛先未選択時のデータ送信出力設定画面を示す図である。
【図９】宛先選択後のデータ送信出力設定画面を示す図である。
【図１０】携帯情報端末の表示部にデータ送信出力設定画面が表示されている状態で、タッチ検出エリアが縮小されたときの表示制御処理の流れを示すフローチャートである。
【図１１】文書未選択時のボックス内文書出力設定画面を示す図である。
【図１２】文書選択後のボックス内文書出力設定画面を示す図である。
【図１３】携帯情報端末の表示部にボックス内文書出力設定画面が表示されている状態で、タッチ検出エリアが縮小されたときの表示制御処理の流れを示すフローチャートである。
【発明を実施するための形態】
【００２６】
以下、この発明の実施形態を図面に基づいて説明する。
【００２７】
図１は、この発明の一実施形態に係る画像形成装置用の操作入力装置として携帯情報端末が用いられた画像形成システムを示す概略構成図である。
【００２８】
図１において、この画像形成システムは、１個ないしは複数個の画像形成装置、例えばＭＦＰ１・・・と、ＭＦＰ１・・・を使用できるユーザが所有する携帯情報端末２と、ＭＦＰ１・・・との間でのデータの授受が可能な情報処理装置、例えばパーソナルコンピュータ（ＰＣという）３とを備えている。
【００２９】
ＭＦＰ１・・・とＰＣ３とは、いずれもネットワーク４を介して接続されている。ここで、ネットワーク４は、ＬＡＮ（Local Area Network）等の専用回線を用いたネットワーク、一般回線を用いたネットワーク、無線通信によるネットワークのいずれであっても構わない。また、ネットワーク４は、外部ネットワーク５を介して他のネットワークと接続されている。
【００３０】
前記ＭＦＰ１・・・は、走査した原稿画像ないしはＰＣ３から送信されたプリントデータから生成した画像の複写画像を用紙上に形成する装置である。
【００３１】
ここで、プリントデータとは、ＰＣ３・・・のオペレーティングシステムやアプリケーションプログラムが発行する描画命令を、プリンタドライバによってＭＦＰ１・・・が処理可能なページ記述言語に変換したページ記述言語による描画命令、もしくは、ＰＤＦ、ＴＩＦＦ、ＪＰＥＧ、ＸＰＧ等のファイルフォーマットで記述された文書データ等である。
【００３２】
また、走査した原稿画像は、ネットワーク４を介して、ＰＣ３・・・、さらにはその他のＭＦＰ１に送信することもできる。さらには、外部ネットワーク５を介して、別のネットワークに接続された他のＭＦＰ１やＰＣ３に原稿画像を送信することもできる。さらに操作した原稿画像やＰＣ３・・・から受信した文書データを固定記憶装置（図２）１１０に蓄積することもできる。
【００３３】
前記携帯情報端末２は、図３に示すようにＣＰＵ２０１、ＲＡＭ２０３、固定記憶装置（例えばＳＳＤ等のフラッシュメモリ装置）２１０および表示部２２０等を有する携帯形のコンピュータ装置であり、電子化された文書を蓄積して持ち運び、任意の場所で閲覧、編集を行うことができる。また、無線通信する手段を有し、ＭＦＰ１・・・やＰＣ３・・・との間で文書の送受信を行うことができる。
【００３４】
前記ＰＣ３・・・は、図示しないＣＰＵ、ＲＡＭ、固定記憶装置（例えばハードディスク装置等）、キーボード、マウス、さらにはディスプレイ装置（モニタ装置）３００等を備えた一般的なパーソナルコンピュータであり、ユーザーの指示によりプリントデータを生成し、生成したプリントデータをＭＦＰ１・・・に送信して処理させる機能を持っている。
【００３５】
図２は、前記ＭＦＰ１・・・の電気的構成を示すブロック図である。
【００３６】
図２おいて、ＭＦＰ１は、制御部１００と、固定記憶装置１１０と、短距離無線インターフェース（短距離無線Ｉ／Ｆという）１８１，１８２，１８３と、画像読取装置１２０と、操作パネル部１３０と、画像出力装置１４０と、プリンタコントローラ１５０と、ネットワークインターフェース（ネットワークＩＦという）１６０と、ワイヤレス（Ｗｉｒｅｌｅｓｓ）ネットワークインターフェース（ワイヤレスネットワークＩＦという）１７０と、ドック（Ｄｏｃｋ）コネクタ１９０とを備えており、これらは、バス５０を介して接続されている。
【００３７】
前記制御部１００は、全体の動作を統括制御するＣＰＵ１０１と、ＣＰＵ１０１が動作する際の制御プログラムが格納されたＲＯＭ１０２と、ＣＰＵ１０１に対して動作用の作業領域を提供するＳ−ＲＡＭ（Static Random Access Memory ）１０３と、画像形成に関わる各種の設定を記憶するバッテリバックアップされたＮＶ−ＲＡＭ（不揮発性メモリ）１０４と、時計ＩＣ１０５とを備えている。
【００３８】
前記画像読取装置１２０は、原稿画像を読み取るスキャナ機能を有している。
【００３９】
前記操作パネル部１３０は、各種の入力を行うキー（テンキー、プリントキー、ログアウトキー）や表示部（図示せず）を備えている。
【００４０】
前記画像出力装置１４０は、複写画像を用紙上に形成するプリントエンジン部である。
【００４１】
前記プリンタコントローラ１５０は、前記ネットワークインターフェース（ネットワークＩ／Ｆという）１６０により受信したプリントデータから複写画像を生成するものである。
【００４２】
前記ネットワークＩ／Ｆ１６０は、前記ネットワーク４を介して接続されたＰＣ３や他の外部の装置との間で各種の情報を送受信する通信手段として機能するものである。
【００４３】
前記固定記憶装置１１０は、画像データやジョブデータ等の各種データないしはアプリケーション等を記憶する記憶手段であり、例えば、ハードディスク装置からなる。
【００４４】
前記３つの短距離無線Ｉ／Ｆ１８１，１８２，１８３は、主に携帯情報端末２との通信を担うものである。短距離無線方式としては、例えばbluetooth やIrDA等がある。
【００４５】
なお、短距離無線Ｉ／Ｆ１８１は、例えばＭＦＰ１・・・が印刷した用紙を排紙する排紙部に配置され、短距離無線Ｉ／Ｆ１８２は、例えば前記操作パネル部１３０に配置され、短距離無線Ｉ／Ｆ１８３は、例えば排紙部とは反対側の部位にそれぞれ配置されている。
【００４６】
前記ドック（Dock) コネクタ１９０は、前記携帯情報端末２を着脱可能に接続するためのものである。
【００４７】
図３は、前記携帯情報端末２の電気的構成を示すブロック図である。
【００４８】
図３において、携帯情報端末２は、制御部２００と、固定記憶装置２１０と、表示部２２０と、ワイヤレス（Wireless) ＬＡＮＩ／Ｆ２７０と、短距離無線Ｉ／Ｆ２８１，２８２，２８３と、ドック（Dock) コネクタ２９０とを備えており、これらは、バス６０に接続されている。
【００４９】
前記制御部２００は、携帯情報端末２の全体の動作を統括制御するＣＰＵ２０１と、ＣＰＵ２０１が動作する制御プログラムが格納されたＲＯＭ２０２と、ＣＰＵ２０１が動作する際に作業領域を提供するＲＡＭ２０３とを備えている。
【００５０】
前記表示部２２０は、例えば液晶等からなり、各種情報を表示すると共に、画面を直接タッチして操作入力を行えるようにタッチパネルで構成されている。
【００５１】
前記固定記憶装置２１０は、各種情報を記憶する手段であり、例えば、ハードディスク装置ないしはフラッシュメモリ（例えばＳＳＤ）等から採用され、各種のアプリケーションやデータ等が保存されている。
【００５２】
前記ワイヤレス（Wireless) ＬＡＮＩ／Ｆ２７０は、ＰＣ３や他の外部機器との間で各種情報を送受信する無線通信手段として機能するものである。
【００５３】
前記短距離無線Ｉ／Ｆ２８１，２８２，２８３は、主にＭＦＰ１・・・等との通信を担うものであり、短距離無線方式としては例えばbluetooth やIrDA等がある。
【００５４】
前記ドック（Dock) コネクタ２９０は、前記ＭＦＰ１のドック（Dock) コネクタ１９０に着脱可能に接続されてＭＦＰ１との間で各種のデータを送受信するためのものである。
【００５５】
前記ＭＦＰ１・・・は、携帯情報端末２とネットワークによる通信を行うことにより、該ＭＦＰ１・・・の操作パネル１３０のタッチ式の表示部に表示される操作画面を携帯情報端末２の表示部２２０に表示できるように構成されている。これにより、携帯情報端末２からＭＦＰ１・・・をリモートで操作できるようになっている。なお、操作画面を携帯情報端末２の表示部２２０に表示したり、ＭＦＰをリモートで操作するために、専用のアプリケーションが携帯情報端末２やＭＦＰ１に予めインストールされている。そして、携帯情報端末２は、短距離無線Ｉ／Ｆ２８１〜２８３またはドックコネクタ２９０、及びＭＦＰ１側の短距離無線Ｉ／Ｆ１８１〜１８３またはドックコネクタ１９０を介して、ＭＦＰ１と情報を送受しながら、操作画面を携帯情報端末２の表示部２２０に表示したり、ＭＦＰをリモートで操作できるようになっている。
【００５６】
前記携帯情報端末２には、ユーザが表示部２２０の縁部２０ａ（図５，図６に示す）を把持した際、その持ち手が表示部分の意図しないキーに触れた際の誤入力を避けるために、該持ち手を検出する持ち手検出センサ２９１が設けられている。該センサ２９１により持ち手が検出された際には、ＣＰＵ２０１により、持ち手が被さるのを回避するように、タッチ検出領域及び表示領域が縮小補正されるようになっている。
【００５７】
また、前記ＣＰＵ２０１は、前記表示部２２０の表示画面（例えば図５，図６の画面Ｄａ，Ｄｂ，Ｄｃ）に表示されている操作キーＫ１，Ｋ１０の優先順位を決定する操作キー優先順位決定機能を有する他に、前記表示画面に基づいて操作キーＫ１，Ｋ１０を表示可能なキー表示可能領域を判断するキー表示領域判断機能と、操作キーの優先順位に基づいて、前記キー表示可能領域内での操作キーのサイズ及び／またはレイアウトを含む表示形式を決定する表示形式決定機能と、決定された表示形式で、縮小された表示画面に操作キーを表示させる表示制御機能を有している。
【００５８】
図４は、前記携帯情報端末２を把持したユーザの持ち手がセンサ２９１で検出された場合の表示制御処理の流れを示すフローチャートである。なお、図４以降のフローチャートに示す動作は、携帯情報端末２のＣＰＵ２０１がＲＯＭ２０２等に格納された動作プログラムに従って動作することにより実行される。
【００５９】
図４において、ステップＳ１で、携帯情報端末２の表示部２２０に、ＭＦＰ１の操作パネル部１３０に表示された操作画面が表示されている状態で、ユーザが該携帯情報端末２の表示部２２０の縁部２０ａを把持した場合、持ち手検出センサ２９１がその持ち手を検出し、持ち手がキーの位置に被らないようにタッチ検出領域が縮小補正される。この時、画面表示領域はタッチ検出領域と一体になっているため、画面表示領域も同時に縮小補正され、表示されている操作画面も縮小される。
【００６０】
ステップＳ２では、表示画面中に優先して表示形式を決定すべき操作キーがあるか否かを判断し、優先して表示形式を決定すべき操作キーがあれば（ステップＳ２でＹＥＳ）、ステップＳ３では、ＭＦＰ操作画面の種類に基づいて、表示されている各キーの重要度を判定してキー毎に優先順位を確定（割り振り）する。そしてステップＳ４では、優先順位が第ｎ位の操作キーの表示形式の決定処理をｎ＝１にセットして開始した後、ステップＳ５に進む。
【００６１】
優先して表示形式を決定すべき操作キーがなければ（ステップＳ２でＮＯ）、ステップＳ９では、操作キー表示可能領域に合わせて操作キーの表示形式（操作キーのサイズ及び／またはレイアウト）を決定したのち、ステップＳ８に進む。
【００６２】
なお、優先して表示形式を決定すべき操作キーの種類と優先順位等は、その操作キーが表示されている操作画面の種類に応じて予め設定されており、携帯情報端末２の固定記憶装置２１０に情報として記憶されており、携帯端末はこの情報に基づいて、優先順位を決定する。なお、操作キーの優先順位についての予め設定された情報をＭＦＰ１の固定記憶装置１１０に記憶しておき、携帯情報端末２が該情報をＭＦＰ１から取得することにより、優先順位を決定しても良い。
【００６３】
ステップＳ５では、操作キーの優先順位が確定されたら、その優先順位毎に操作キーのサイズを優先して維持するか否かを判断し、サイズを優先して維持する操作キーの場合には（ステップＳ５でＹＥＳ）、ステップＳ６では、サイズを維持する表示形式に決定したのち、ステップＳ７に進む。また、この時、縮小されたキー表示可能領域を自動で判断し、その領域にてキーのレイアウト等をどのようにするかを確定する。キー表示可能領域は、例えばメッセージが表示される領域等を除くことにより判断される。
【００６４】
サイズを優先して維持しない操作キーの場合には（ステップＳ５でＮＯ）、ステップＳ１０で、キー表示可能領域に合わせてレイアウトを維持する表示形式に決定したのち、ステップＳ７に進む。
【００６５】
なお、サイズを優先して維持する操作キーかレイアウトを優先して維持する操作キーかについても、表示されている操作画面の種類や操作キーの種類等に基づいて予め設定され、携帯情報端末２の固定記憶装置２１０やＭＦＰ１の固定記憶装置１１０に記憶されている。
【００６６】
また、サイズまたはレイアウトを優先する場合、キー表示可能領域に、サイズとレイアウトの両方を維持することが可能であれば、両方が維持される。
【００６７】
ステップＳ７では、優先順位毎に操作キーの表示形式が確定したか、つまり、全てのキーについての決定が終了したか否かを判断し、終了していなければ（ステップＳ７でＮＯ）、ステップＳ１１で、変数ｎをｎ＝ｎ＋１としたのち、ステップＳ５に戻る。終了していれば（ステップＳ７でＹＥＳ）、ステップＳ８で画面の再描画を行う。
【００６８】
なお、この実施形態では、操作キーの全てが同位の優先順位の場合は、全ての操作キーをキー表示可能な領域に合わせてサイズ／レイアウトを変更して、再描画を行うものとなされている。また、優先順位が下位の操作キーについて、サイズまたはレイアウトを維持すべき表示形式であっても、優先順位が上位の操作キーのサイズまたはレイアウトを維持した結果、キー表示可能領域における空き領域が少なくなって維持すべきサイズまたはレイアウトを維持できないときは、サイズを縮小しあるいはレイアウトを変更すればよい。
【００６９】
図５（Ａ）〜（Ｃ）は、携帯情報端末２にＭＦＰ１の印字出力モード設定画面が表示されている状態で、携帯情報端末２を把持したユーザの持ち手がセンサ２９１で検出された場合の表示例を示す図である。
【００７０】
この実施形態では、「カラー」や「用紙設定」といった、相互に独立した１個または複数個のモード設定キーを、第１優先の操作キーとして表示形式を決定するものとなされており、それらのキーが画面上にあった場合は、詳細設定キーやページ切替キーといった、印字出力モードの設定には直接的に関係しない操作キーは、モード設定キーより優先度が低くなるように、予め設定されている。
【００７１】
ユーザが携帯情報端末２の表示部２２０の縁部２０ａを把持した場合、図５（Ａ）の画面Ｄａに示すように、その持ち手が被さるような領域が持ち手検出センサ２９１で検出されると、画面の表示が縮小化され、その時、操作キーの表示形式の決定順は、重要度の高いモード設定キーＫ１が第１優先となる。この画面Ｄａでは、印字出力モード設定キーＫ１として、「カラー」や「用紙設定」等の機能バッジ（badge)キーが該当する。
【００７２】
これらの操作キーＫ１は、レイアウトを維持することには意味がないため、図５（Ｂ）の画面Ｄｂに示すように、サイズを維持するものとなされている。この場合、キー表示可能領域に元のレイアウトを維持したままサイズを維持できない場合は、キーＫ１のレイアウト（配置）を変更する。
【００７３】
第１優先となった機能バッジキーＫ１のレイアウトが確定したら、図５（Ｃ）の画面Ｄｃに示すように、その他の残りのキー、例えばメニューキーや詳細確認キーといった優先度の低いキーＫ２の配置を、キー表示可能領域の空き領域に合わせてサイズ及び／またはレイアウトを必要に応じて変更して表示形式を決定し、決定された表示形式で各キーを表示する。
【００７４】
図６（Ａ）〜（Ｃ）は、携帯情報端末２に印字出力モード設定画面として下地調整画面が表示されている状態で、携帯情報端末２を把持したユーザの持ち手がセンサ２９１で検出された場合の表示例を示す図である。
【００７５】
ここでは、印字出力モードの設定キーとして、下地調整レベル選択キーのような、レベル設定に関して降順／昇順のように並びに意味のある複数個のレベル出力選択キーＫ１０が表示されている。これらのレベル出力選択キーＫ１０は、並びに意味があることから、他のモード設定キーよりもさらに優先して表示形式を決定するため、優先順位が第１位に設定されており、他のモード設定キーは第２優先順位となされている。
【００７６】
ユーザが携帯情報端末２の表示部２２０の縁部２０ａを把持した場合、図６（Ａ）の画面Ｄａに示すように、その持ち手で被さるような領域が持ち手検出センサ２９１で検出されると、操作画面の表示が縮小化されるが、レベル出力選択キーについては、図６（Ｂ）の画面Ｄｂに示すように、サイズよりもレイアウトを維持することを優先して、キーの表示形式が決定される。
【００７７】
また、レベル出力選択キー及びモード設定キー以外の残りのキーＫ２０が存在していた場合は、それらのキー優先順位を第３位とし、図６（Ｃ）の画面Ｄｃに示すように、優先順位毎に上位の操作キーの表示形式を優先しながら、操作キーの表示形式を決定していく。
【００７８】
図７は、携帯情報端末２に印字出力モード設定画面が表示されている状態で、前記携帯情報端末２を把持したユーザの持ち手がセンサ２９１で検出された場合の表示制御処理の流れを示すフローチャートである。
【００７９】
図７において、携帯情報端末２にＭＦＰ１の操作パネル部１３０に表示された印字出力モード設定画面が表示されている状態で、ユーザが該携帯情報端末２の表示部２２０の縁部２０ａを把持していると、ステップＳ２１では、その持ち手が持ち手検出センサ２９１で検出され、持ち手でキーの位置が被さらないようにタッチ検出領域が縮小補正される。この時、操作画面も同時に縮小補正される。
【００８０】
ステップＳ２２では、操作画面上に、独立した印字出力モード設定キーがある否かを判断し、あれば（ステップＳ２２でＹＥＳ）、ステップＳ２３に進み、なければ（ステップＳ２２でＮＯ）、ステップＳ３０で、操作キー表示可能領域に併せて操作キーの表示形式を決定してからステップＳ２９に進む。この場合、画面の縮小に合わせて例えば全部のキーが縮小される。
【００８１】
ステップＳ２３では、印字出力モード設定キーの中に、複数のレベル出力選択キーがあるか否かを判断し、レベル出力選択キーがあれば（ステップＳ２３でＹＥＳ）、ステップＳ２４では、レベル出力設定選択キーを第１に優先するキー、他のモード設定キー（機能バッジキー）を第２に優先するキーとして、優先順位を決定し、ステップＳ２５に進む。印字出力モード設定キーにレベル出力選択キーがなければ（ステップＳ２３でＮＯ）、ステップＳ３１では、モード設定キー（機能バッジキー）を第１に優先するキーとして優先順位を決定してから、ステップＳ２５に進む。
【００８２】
ステップＳ２５では、優先順位が第ｎ位の操作キーの表示形式の決定処理をｎ＝１にセットして開始し、ステップＳ２６では、その操作キーがレベル出力選択キーか否かを判断する。レベル出力選択キーであれば（ステップＳ２６でＹＥＳ）、ステップＳ２７では、キー表示可能領域に合わせてレイアウトを維持した表示形式に決定してから、ステップＳ２８に進む。レベル出力選択キーでなければ（ステップＳ２６でＮＯ）、ステップＳ３２で、キー表示可能領域においてサイズを維持した表示形式に決定してから、ステップＳ２８に進む。
【００８３】
ステップＳ２８では、全てのキーについて決定処理（表示形式決定処理）が終了したか否かを判断し、終了していなければ（ステップＳ２８でＮＯ）、ステップＳ３５で、変数ｎをｎ＝ｎ＋１にして、ステップＳ２６に戻る。全てのキーについて決定処理が終了すれば（ステップＳ２８でＹＥＳ）、ステップＳ２９では、画面の再描画を実行する。
【００８４】
なお、レベル出力選択キー及びモード設定キー以外の操作キーが含まれている場合は、それらのキーについては、操作キー表示可能領域に収まるように操作キーの表示形式が決定される。
【００８５】
このように、携帯情報端末２に表示されている印字出力モード設定画面の内容に応じて操作キーに優先順位を付し、操作キーに応じてレイアウトを維持するかサイズを維持するかを決定するから、前記印字出力モード設定画面が縮小されても、各操作キーの操作性を維持することができる。
【００８６】
図８は、携帯情報端末２によりＭＦＰ１におけるＳｃａｎ  Ｔｏ  Ｅ−ｍａｉｌ／Ｆａｘ等のように、データの送信宛先を選択するとともにデータの送信モードを設定するためのデータ送信出力設定画面Ｄ０を示す図であり、また、図９は画面Ｄ０においてデータの送信宛先が選択された後の設定画面Ｄ１を示す図である。
【００８７】
図８および図９の各設定画面Ｄ０，Ｄ１の表示中に、ユーザが携帯情報端末２の表示部２２０の縁部２０ａを把持している場合、その持ち手がセンサ２９１で検出され、各設定画面Ｄ０，Ｄ１の縮小化が実行されたとする。
【００８８】
この時、設定画面Ｄ０のように、宛先種類が未選択（宛て先件数＝０）の状態であった場合、Ｓｃａｎ送信／Ｆａｘ、ＭＦＰ１のボックスへの送信といった送信ジョブを実行する際に、必ず宛先種類を選択する必要があるので、宛先種類の決定に関連するキーが最も優先度が高くなる。
【００８９】
そのため、宛先種類が未選択時は、第１に優先するキーは、図８の宛先種類選択キー（「ファックス」、「Ｅ−ｍａｉｌ」「インターネットファックス」「ファイル送信」等）ＫＡとなされており、第２に優先するキーは、送信モード設定キー（「カラー」、「読込みサイズ」「文書名／件名」等）ＫＢとなされている。その他の詳細設定キー（「設定確認」）ＫＣ等が第３の優先順位となされている。
【００９０】
また、図９の設定画面Ｄ１に示すように、宛先種類が既に選択済みであれば（例えば宛先件数＝１）、第１に優先するキーは、送信モード設定キー（「カラー」、「読込みサイズ」「文書名／件名」等）ＫＢとなされており、宛先種類選択キー（「ファックス」、「Ｅ−ｍａｉｌ」「インターネットファックス」「ファイル送信」等）ＫＡが第２に優先するキーに変更されるものとなされている。
【００９１】
このようにして、優先順位が決定された操作キーに対して、レイアウトに意味がなく独立した操作キーであれば、サイズを維持する表示形式と決定され、レイアウトに意味のあるキーであれば、レイアウトが維持される表示形式と決定され、表示される。この例では、宛先種類選択キーＫＡ及び送信モード設定キーＫＢともにレイアウトに意味がなく独立した操作キーであるから、操作キーのサイズを維持して表示される。
【００９２】
図１０は、携帯情報端末２にデータ送信出力設定画面が表示されている状態で、前記携帯情報端末２を把持したユーザの持ち手がセンサ２９１で検出された場合の表示制御処理の流れを示すフローチャートである。
【００９３】
図１０において、携帯情報端末２にＭＦＰ１の操作パネル部１３０に表示されたデータ送信出力設定画面が表示されている状態で、ユーザが該携帯情報端末２の表示部２２０の縁部２０ａを把持していると、その持ち手が持ち手検出センサ２９１で検出され、持ち手でキーの位置が被さらないようにタッチ検出領域が縮小補正される。
【００９４】
ステップＳ４１では、宛先種類が選択されている否かを判断し、宛先種類が選択されていれば（ステップＳ４１でＹＥＳ）、ステップＳ４８では、データ送信モード設定キーを第１に優先するキー、他の操作キーを第２に優先するキーとして優先順位を決定したのち、ステップＳ４３に進む。宛先種類が選択されていなければ（ステップＳ４１でＮＯ）、ステップＳ４２では、宛先種類選択キーを第１に優先するキー、他のモード設定キーを第２に優先するキーとして優先順位を決定したのち、ステップＳ４３に進む。
【００９５】
ステップＳ４３でｆ、優先第ｎ位の操作キーの表示形式の決定処理をｎ＝１にセットして開始したのち、ステップＳ４４に進む。
【００９６】
ステップＳ４４では、操作キーのサイズを優先して維持するのか否かを判断し、サイズを優先して維持する操作キーでなければ（ステップＳ４４でＮＯ）、ステップＳ４９では、キー表示可能領域においてレイアウトを維持した表示形式に決定し、ステップＳ４６に進む。サイズを優先して維持する操作キーであれば（ステップＳ４４でＹＥＳ）、ステップＳ４５では、キー表示可能領域においてサイズを維持した表示形式に決定し、ステップＳ４６に進む。
【００９７】
ステップＳ４６では、全てのキーについて決定処理が終了したか否かを判断し、終了していなければ（ステップＳ４６でＮＯ）、ステップＳ５０では、変数ｎをｎ＝ｎ＋１としたのち、ステップＳ４４に戻る。全てのキーについて決定処理が終了していれば（ステップＳ４６でＹＥＳ）、ステップＳ４７で画面の再描画を実行する。
【００９８】
このように、携帯情報端末２に表示されているデータ送信出力設定画面の操作キーに優先順位を付し、操作キーに応じてレイアウトを維持するかサイズを維持するかを決定するから、前記データ送信出力設定画面が縮小されても、各操作キーの操作性を維持することができる。
【００９９】
図１１及び図１２は、携帯情報端末２によりＭＦＰ１の記憶領域であるボックス内の文書の出力設定を行う際のボックス内文書出力設定画面を示すものであり、図１１は文書未選択時の設定画面Ｄ１０を、図１２は同じくの文書選択済み時の設定画面Ｄ１１を示す図である。
【０１００】
図１１および図１２の各画面Ｄ１０，Ｄ１１の表示中に、携帯情報端末２の表示部２２０の縁部２０ａを把持したユーザの持ち手が検出されて、表示画面Ｄ１０，Ｄ１１の縮小化が実行されたとする。
【０１０１】
この時、図１１の表示画面Ｄ１０に示すように、ボックス内文書が未選択の状態であった場合、印刷、送信、文書削除といった操作を実行する際に、必ず文書を選択することが必須となるため、一覧表示された文書から選択可能な文書選択（文書一覧）キー（「画面イメージ」、「仕様書」等）ＫＸが最も優先度が高くなる。
【０１０２】
このため、文書が未選択時は、第１に優先するキーは、図１１の文書一覧キーＫＸとなされており、第２に優先するキーは、図１１のモード設定キー（「印刷キー」、「送信キー」、「削除キー」等）ＫＹとなされている。また、第３の優先順位は、その他の詳細設定キーＫＺ等となされている。
【０１０３】
また、図１２の表示画面Ｄ１１に示すように、ボックス内文書が既に選択済であれば、第１に優先するキーは、モード設定キー（「印刷キー」、「送信キー」、「削除キー」等）ＫＹとなされており、文書選択キーＫＸが第２に優先するキーに変更されるものとなされている。
【０１０４】
このようにして優先順位が決定された操作キーが並びに意味のない独立した操作キーであれば、サイズを維持する表示形式に決定し、並びに意味のあるキーであれば、レイアウトを維持する表示形式に決定するものとなされている。
【０１０５】
図１３は、携帯情報端末２にボックス内文書出力設定画面が表示されている状態で、前記携帯情報端末２を把持したユーザの持ち手がセンサ２９１で検出された場合の表示制御処理の流れを示すフローチャートである。
【０１０６】
図１３において、携帯情報端末２にＭＦＰ１の操作パネル部１３０に表示されたボックス内文書出力設定画面が表示されている状態で、ユーザが該携帯情報端末２の表示部２２０の縁部２０ａを把持していると、その持ち手が持ち手検出センサ２９１で検出され、持ち手でキーの位置が被さらないようにタッチ検出領域が縮小補正され、操作画面も縮小される。
【０１０７】
ステップＳ６１では、ＭＦＰ１におけるボックス内文書が選択されているか否かを判断し、文書が選択されていれば（ステップＳ６１でＹＥＳ）、ステップＳ６８で、文書出力モード設定キーＫＹを第１に優先するキー、他の操作キーを第２に優先するキーとして優先順位を決定したのち、ステップＳ６３に進む。文書が選択されていなければ（ステップＳ６１でＮＯ）、ステップＳ６２では、文書選択キーＫＸを第１に優先するキーとして、また、文書出力モード設定キーＫＹを第２の優先キーをとして優先順位を決定したのち、ステップＳ６３に進む。
【０１０８】
ステップＳ６３では、優先第ｎ位の操作キーの表示形式決定処理をｎ＝１にセットして開始し（ｎ＝１）、ステップＳ６４に進む。
【０１０９】
ステップＳ６４では、操作キーのサイズを優先して維持するのか否かを判断し、サイズを優先して維持する操作キーでなければ（ステップＳ６４でＮＯ）、ステップＳ６９では、キー表示可能領域にてレイアウトを維持した表示形式に決定し、ステップＳ６６に進む。サイズを優先して維持する操作キーであれば（ステップＳ６４でＹＥＳ）、ステップＳ６５では、キー表示可能領域にてサイズを維持した表示形式に決定し、ステップＳ６６に進む。
【０１１０】
ステップＳ６６では、全てのキーについて決定処理が終了したか否かを判断し、終了していなければ（ステップＳ６６でＮＯ）、ステップＳ７０では、変数ｎをｎ＝ｎ＋１としたのち、ステップＳ６４に戻る。全てのキーについて決定処理が終了していれば（ステップＳ６６でＹＥＳ）、ステップＳ７７で画面の再描画を実行する。
【０１１１】
このように、携帯情報端末２に表示されているボックス内文書出力設定画面の操作キーに優先順位を付し、操作キーに応じてレイアウトを維持するかサイズを維持するかを決定するから、前記設定画面が縮小されても、各操作キーの操作性を維持することができる。
【０１１２】
なお、以上の実施形態において、優先順位が上位の操作キーの表示形式を決定した後、キー表示可能領域の空き領域に下位の優先表示キーが表示できない場合には、新規に画面遷移キーを設け、前記画面遷移キーを押下した場合の遷移先画面により、下位の優先表示キーを表示するように構成することも可能である。
【０１１３】
ところで、上記実施形態では、表示画面毎に操作キーに優先順位が決まっており、携帯情報端末２がユーザの持ち手を検出すると、自動的に優先順位毎に操作キーの表示形式を決定するようにしたものである。これ以外に、ユーザ毎に認証管理が可能なＭＦＰ１においては、管理者設定等で、ユーザ毎に自身のユーザ情報として、優先順位の高い操作キーを管理者等が設定保存できるようにしておき、携帯情報端末２がこのユーザ情報に基づいて、設定された操作キーを第１位の優先順位に決定する構成としてもよい。この場合は、優先順位にユーザの意思を反映させることができる。
【０１１４】
例えば、ＭＦＰ１または携帯情報端末２は、印字出力モード全般を優先順位が高いと判断するが、ユーザ認証情報として、印字出力モードの中でも特にレイアウトグループのキーの優先順位を高く設定しておいて、小冊子や綴じ代等のキーの表示形式を先に決めるようにすることも可能である。
【符号の説明】
【０１１５】
１      ＭＦＰ
１００  制御部
１０１  ＣＰＵ
２      携帯情報端末（タブレット端末）
２０ａ  縁部
２０１  ＣＰＵ
２２０  表示部（タッチパネル）
２９１  持ち手検出センサ
【図１】
0005849779.tif 000002
【図２】
0005849779.tif 000003
【図３】
0005849779.tif 000004
【図４】
0005849779.tif 000005
【図５】
0005849779.tif 000006
【図６】
0005849779.tif 000007
【図７】
0005849779.tif 000008
【図８】
0005849779.tif 000009
【図９】
0005849779.tif 000010
【図１０】
0005849779.tif 000011
【図１１】
0005849779.tif 000012
【図１２】
0005849779.tif 000013
【図１３】
0005849779.tif 000014